(57)【要約】【課題】  電子機器に対してユニットを着脱可能にする小型の着脱機構と、当該着脱機構を有するユニットと、当該ユニットが着脱される電子機器とを提供する。【解決手段】  ユニット本体と当該ユニット本体を覆うケースとからなるユニットを、電子機器から着脱するための着脱機構であって、前記ケースに対して展開及び折り畳み可能に取り付けられ、前記ユニットを前記電子機器から着脱するための力が加えられるレバーと、前記ケースに折り畳まれた前記レバーと係合して前記レバーを折り畳み位置にロックするロック位置と、前記レバーに対するロックを解除して前記レバーが前記ケースから展開することを許容するロック解除位置との間で、前記ケースの面に沿って移動可能に取り付けられた係止部材とを有することを特徴とする着脱機構を提供する。【選択図】      図１
2006294201.tif 000002
【特許請求の範囲】
【請求項１】
ユニット本体と当該ユニット本体を覆うケースとからなるユニットを、電子機器から着脱するための着脱機構であって、
前記ケースに対して展開及び折り畳み可能に取り付けられ、前記ユニットを前記電子機器から着脱するための力が加えられるレバーと、
前記ケースに折り畳まれた前記レバーと係合して前記レバーを折り畳み位置にロックするロック位置と、前記レバーに対するロックを解除して前記レバーが前記ケースから展開することを許容するロック解除位置との間で、前記ケースの面に沿って移動可能に取り付けられた係止部材とを有することを特徴とする着脱機構。
【請求項２】
ユニット本体と当該ユニット本体を覆うケースとからなるユニットを、電子機器から着脱するための着脱機構であって、
前記ユニット本体と前記ケースとを固定する固定手段によって前記ケースに共締されると共に前記固定手段の周りに前記ケースに対して展開及び折り畳み可能に構成され、前記ユニットを前記電子機器から着脱するための力が加えられるレバーを有することを特徴とする着脱機構。
【請求項３】
ユニット本体と当該ユニット本体を覆うケースとからなるユニットを、電子機器から着脱するための着脱機構であって、
前記ケースに対して展開及び折り畳み可能に取り付けられ、前記ユニットを前記電子機器から着脱するための力が加えられるレバーと、
前記ケースに折り畳まれた前記レバーと係合して前記レバーを折り畳み位置にロックするロック位置と、前記レバーに対するロックを解除して前記レバーが前記ユニットの前記ケースから展開することを許容するロック解除位置との間で移動可能に、前記ユニット本体と前記ケースとを固定する固定手段によって前記ケースに共締された係止部材とを有することを特徴とする着脱機構。
【請求項４】
前記レバーは断面Ｌ字形状を有することを特徴とする請求項１乃至３のうちいずれか一項記載の着脱機構。
【請求項５】
請求項１乃至４のうちいずれか一項の着脱機構を有することを特徴とするユニット。
【請求項６】
請求項１乃至４のうちいずれか一項の着脱機構を各々有する複数のユニットが着脱可能に取り付けられることを特徴とする電子機器。
【請求項７】
前記複数のユニットが、前記電子機器の高さ方向に沿って着脱されることを特徴とする請求項６記載の電子機器。
【請求項８】
前記ユニットは２．５インチハードディスクドライブユニットであり、前記電子機器の高さは１Ｕを４４．４５ｍｍとした場合に約３Ｕであることを特徴とする請求項７記載の電子機器。
【請求項９】
前記電子機器は、行列状に配置された複数のユニットが前記電子機器の高さ方向に沿って着脱可能に搭載され、前記高さ方向に垂直に配置されたバックパネルを有するディスクアレイ装置であり、前記バックパネルは各ユニットに供給される電力と格納されるべきデータを中継することを特徴とする請求項６乃至８のうちいずれか一項記載の電子機器。
【請求項１０】
行列状に配置された複数のユニットが前記電子機器の高さ方向に沿って着脱可能に搭載され、前記高さ方向に垂直に配置されたバックパネルを有するディスクアレイ装置を複数段前記電子機器の高さ方向に搭載可能なラックマウント装置であることを特徴とする請求項６記載の電子機器。
【発明の詳細な説明】
【技術分野】
【０００１】
本発明は、一般には、ユニット及び当該ユニットが着脱される電子機器に係り、特に、ユニットを電子機器に着脱するための着脱機構に関する。本発明は、例えば、着脱可能に構成されたハードディスクドライブ（以下、「ＨＤＤ」という。）ユニットを複数搭載するディスクアレイ装置に好適である。
【背景技術】
【０００２】
近年、高速かつ大容量で信頼性の高い外部記憶装置を実現すべく、一又は複数のＨＤＤユニットを着脱可能に内設したディスクアレイ装置が提案されている（例えば、特許文献１を参照のこと）。ディスクアレイ装置では、装置全体としては稼動状態を維持したまま、メンテナンスが必要とされるＨＤＤユニットのみを交換することができると共に振動などで容易に装着されたＨＤＤユニットがディスクアレイ装置から抜け出さないようにするための固定機構も備えている。
【０００３】
図１２に従来のディスクアレイ装置１０とそれに装着されるＨＤＤユニット２０の一例を示す。ここで、図１２は、ディスクアレイ装置１０とＨＤＤユニット２０の概観斜視図である。ＨＤＤユニット２０は、図１３に示すように、３．５インチディスクを内蔵した３．５インチＨＤＤ３０と、３．５インチＨＤＤ３０を保護するためのケース４０から構成される。ここで、図１３は、ＨＤＤユニット２０の分解斜視図である。
【０００４】
３．５インチＨＤＤ３０は、図１４（ａ）及び図１４（ｂ）に示すように、幅Ｗ１、長さＬ１及び高さＨ１を有する。幅Ｗ１、長さＬ１及び高さＨ１は、それぞれ、例えば、２５．４ｍｍ、１４７ｍｍ、及び、１０１．６ｍｍである。ここで、図１４（ａ）及び図１４（ｂ）は、それぞれ、３．５インチＨＤＤ３０の正面図及び側面図である。
【０００５】
一方、ケース４０は、図１２及び図１３に示すように、３．５インチＨＤＤ３０をディスクアレイ装置に挿脱する際に使用される挿抜機構４２と本体部４４とを有する。挿抜機構４２は、図１２に示す展開状態と図１３に示す折り畳み状態で移動可能であり、図示しない圧縮バネを有する。挿抜機構４２は、図１３に示す折り畳み状態で図示しないイジェクトボタンが押圧されて圧縮バネの係止が解除されると、図１２に示すように展開する。その後、ユーザは挿抜機構４２を引き出すことによってＨＤＤユニット２０をディスクアレイ装置１０から引き出すことができる。ＨＤＤユニット２０をディスクアレイ装置１０に装着する時はこれと逆の動作を行う。
【０００６】
ケース４０は、図１５（ａ）及び図１５（ｂ）に示すように、幅Ｗ２、長さＬ２及び高さＨ２を有する。幅Ｗ２、長さＬ２及び高さＨ２は、それぞれ、例えば、２７．１ｍｍ、２０４ｍｍ、及び、１１２ｍｍである。ここで、図１５（ａ）及び図１５（ｂ）は、それぞれ、ＨＤＤケース４０の正面図及び側面図である。
【０００７】
その他の従来技術としては、特許文献２乃至７がある。
【特許文献１】特開２００４−５４９６７号公報
【特許文献２】特開平１１−２６００４８号公報
【特許文献３】特開平８−１９１２４号公報
【特許文献４】特開平８−１３７６３１号公報
【特許文献５】特開平１１−３２７８０５号公報
【特許文献６】特開平６−８４３３８号公報
【特許文献７】特開２０００−１２２８１５号公報
【発明の開示】
【発明が解決しようとする課題】
【０００８】
近年の電子機器の小型、薄型化の要請から、次世代のディスクアレイ装置１０には従来の３．５インチＨＤＤ３０を２．５インチＨＤＤとすることが検討されている。また、インターネットなど利用可能な情報が大量になるにつれて大容量の記憶装置が要求される。このため、ディスクアレイ装置１０にはより多くのＨＤＤユニット２０を搭載することが要求される。そこで、本発明者は、単に３．５インチディスクから２．５インチディスクに変更した以上にＨＤＤユニット２０の小型化を試みた。その結果、本発明者は従来の挿抜機構４２は、約５７ｍｍ程度の長さＬ３を有し、更なる小型化の要請を阻害していることを発見した。
【０００９】
そこで、本発明は、電子機器に対してユニットを着脱可能にする小型の着脱機構と、当該着脱機構を有するユニットと、当該ユニットが着脱される電子機器とを提供することを例示的な目的とする。
【課題を解決するための手段】
【００１０】
本発明の一側面としての着脱機構は、ユニット本体と当該ユニット本体を覆うケースとからなるユニットを、電子機器から着脱するための着脱機構であって、前記ケースに対して展開及び折り畳み可能に取り付けられ、前記ユニットを前記電子機器から着脱するための力が加えられるレバーと、前記ケースに折り畳まれた前記レバーと係合して前記レバーを折り畳み位置にロックするロック位置と、前記レバーに対するロックを解除して前記レバーが前記ケースから展開することを許容するロック解除位置との間で、前記ケースの面に沿って移動可能に取り付けられた係止部材とを有することを特徴とする。図１２乃至図１５（ｂ）に示す従来例では、図示しないイジェクトボタンが押される（即ち、移動する）方向はケース４０の前面に垂直な方向であるために移動距離だけケースは大型になる。これに対して、本発明の着脱機構は、係止部材の移動がケースの面に沿っているため、ケースの大型化を招かない。また、従来例は、係止部材がケースの一部であり、レバーはケースと係合する。これに対して、本発明の着脱機構は、係止部材がケースとは別体であり、レバーはケースではなく係止部材と係合するので、係止部材とレバーの配置の自由度が高い。このため、本発明の着脱機構は、ケースの小型化を維持するような係止部材とレバーの配置を選択することができる。
【００１１】
ユニットは、例えば、ＨＤＤユニットなどの記憶装置、その他の電子機器ユニットである。電子機器は、例えば、ディスクアレイ装置であり、複数の電子機器は、例えば、ラックマウント方式で多段式に搭載されてもよい。
【００１２】
前記係止部材は、前記ロック位置と前記ロック解除位置との間で変位可能に構成された弾性変形可能なアームであってもよい。かかる着脱機構は、アームが弾性変形可能で自走式である。このため、かかる着脱機構は、バネなどの部品が不要であり、部品点数を減らすことによって小型化を達成することができる。このようなアームは、例えば、樹脂などから構成される。
【００１３】
また、着脱機構は、前記ユニット本体と前記ケースの間に少なくとも一部が配置され、前記係止部材を前記ロック位置に付勢する付勢部とを更に有してもよい。前記ユニット本体と前記ケースの間のスペースとして、ユニット本体と電子機器との接続及び切断を表示する導光管が配置されるスペースを利用すれば、既存のスペースを利用するのでユニットの大型化をもたらさない。かかる付勢部は、例えば、板バネである。
【００１４】
前記レバーは、前記ユニット本体と前記ケースとを固定する固定手段によって前記ケースに共締されると共に前記固定手段の周りに前記ケースに対して展開及び折り畳み可能に構成され、当該係止部材は、前記固定手段によって前記ケースに共締される第１の被固定部と、前記固定手段によって前記ケースに移動不能に共締される第２の被固定部と、前記第１と第２の被固定部を接続し、前記ロック解除位置に変位した前記第１の被固定部を前記ロック位置に復帰させる弾性力を加える弾性変形可能な支部と、前記第２の被固定部が前記ロック位置にあるときに前記レバーと係合し、前記第２の被固定部が前記ロック解除位置にあるときに前記レバーとの係合を解除する係合部と、前記レバーと係合している間に、前記レバーが展開する方向に力を加える弾性変形可能な付勢部とを有してもよい。
【００１５】
本発明の別の側面としての着脱機構は、ユニット本体と当該ユニット本体を覆うケースとからなるユニットを、電子機器から着脱するための着脱機構であって、前記ユニット本体と前記ケースとを固定する固定手段によって前記ケースに共締されると共に前記固定手段の周りに前記ケースに対して展開及び折り畳み可能に構成され、前記ユニットを前記電子機器から着脱するための力が加えられるレバーを有することを特徴とする。かかる着脱機構によれば、レバーが、ネジなどの固定手段を中心として展開及び折り畳め（即ち、回転）することができるので、展開・折り畳み機構を従来のように別部材として設けるよりも着脱機構は小型になる。
【００１６】
本発明の更に別の側面としての着脱機構は、ユニット本体と当該ユニット本体を覆うケースとからなるユニットを、電子機器から着脱するための着脱機構であって、前記ケースに対して展開及び折り畳み可能に固定され、前記ユニットを前記電子機器から着脱するための力が加えられるレバーと、前記ケースに折り畳まれた前記レバーと係合して前記レバーを折り畳み位置にロックするロック位置と、前記レバーに対するロックを解除して前記レバーが前記ユニットの前記ケースから展開することを許容するロック解除位置との間で移動可能に、前記ユニット本体と前記ケースとを固定する固定手段によって前記ケースに共締された係止部材とを有することを特徴とする。かかる着脱機構によれば、係止部材が、ネジなどの固定手段を中心として移動又は変位することができるので、移動機構を従来のように別部材として設けるよりも部品点数が減少して着脱機構は小型になる。
【００１７】
前記レバーは、例えば、断面Ｌ字形状を有する。レバーがＬ字形状であれば、ユニット又はケースと正面ではなく側面で係合することができ、展開・折り畳み機構を側面に配置することができる。この結果、ユニット又はケースの正面の構造を簡易にし、ユニット又はケースの長さを短縮することができる。また、Ｌ字形状であれば、ユニットを電子機器に対して挿抜する際に、ユーザはユニットの正面に対応するレバーの部分を把持して力を加えることができる。ユニットの側面に対応するレバーの部分を把持して力を加えればユニットに対称に力が加わらなくなるので好ましくない。前記係止部材は、例えば、断面Ｌ字形状を有する。これにより、係止部材のケース周りの不必要な回転を規制して操作性を向上することができる。
【００１８】
前記ケースは互いに直交する第１及び第２の面を有し、前記係止部材は前記第１の面に平行な第３の面と前記第２の面に平行な第４の面とを有し、前記第１及び第３の面は前記ユニットが前記電子機器に対して着脱する方向と直交し、前記着脱機構は、前記係止部材を前記第３の面を介して前記ロック位置に付勢する付勢部を更に有し、前記ユニット本体と前記ケースとを固定する固定手段によって前記第４の面を前記第２の面に共締めしてもよい。第４の面を介して係止部材をロック位置に付勢するよりも第３の面を介して係止部材をロック位置に付勢する方が係止部材の移動が安定する。
【００１９】
また、前記着脱機構は、前記係止部材を前記ロック位置に付勢する第１の付勢部と、前記レバーを展開方向に付勢する第２の付勢部を有し、前記第１の付勢部による付勢力は前記第２の付勢部による付勢力よりも大きいことが好ましい。付勢力の関係が逆であれば係止部材とレバーとの係合が分離するおそれがあるからである。
【００２０】
前記ケースは前記ユニットが前記電子機器に対して着脱する方向に垂直な面に設けられた貫通孔を有し、前記着脱機構は、前記貫通孔から突出及び前記貫通孔内に退避可能に前記ケースに固定され、前記レバーが展開する方向に前記レバーに力を加える弾性変形可能な付勢部を更に有してもよい。付勢部は貫通孔に退避可能であるので、ユニットが電子機器に対して着脱する方向にケースの小型化を維持することができる。
【００２１】
また、前記係止部材がロック位置からロック解除位置に移動する方向は、前記ユニットを前記電子機器に対して着脱する方向とほぼ直交してもよい。係止部材が移動するスペースを前記ユニットを前記電子機器に対して着脱する方向、即ち、ユニットの長手方向に確保する必要がないので、ユニット又はケースの長さを短縮することができる。前記係止部材は、前記ロック位置から前記ロック解除位置に移動する際に力が加えられる凹凸部を含んでもよい。凹凸部により係止部材を移動するユーザの指が引っかかり易く、操作性が向上する。また、イジェクトボタンなどよりも機構が簡単で着脱機構の小型化に資する。
【００２２】
前記レバーは、折り畳み位置にあるときに前記電子機器と係合して前記電子機器に対して前記ユニットを固定する爪部を含むことが好ましい。これにより、振動などによってユニットが電子機器から脱落したり電気的接続が切れたりすることを防止することができる。また、前記レバーは、展開位置にあるときに前記電子機器と係合して前記ユニットと前記電子機器との電気的接続を解除する接続解除部を含むことが好ましい。レバーの展開動作が前記ユニットと前記電子機器との電気的接続を解除する動作を兼ねるため操作性が向上する。更に、前記ケースに設けられ、前記レバーが展開位置にあるときに前記レバーと当接して前記レバーの更なる展開を規制する規制部を更に有してもよい。これにより、レバーが不必要に回転することを防止して操作性を向上することができる。
【００２３】
上述の着脱機構を有することを特徴とするユニットや、上述の着脱機構を各々有する複数のユニットが着脱可能に取り付けられることを特徴とする電子機器も本発明の一側面を構成する。
【００２４】
特に、電子機器においては、前記ユニットは、前記電子機器の高さ方向に沿って着脱されることが好ましい。この場合、ユニットの長さは電子機器の高さに適合しなければならないため、ユニットの長さを短縮することは有効である。ユニットがＨＤＤユニットで電子機器がラックマウントが可能なディスクアレイ装置であれば、現在の３．５インチＨＤＤユニット用のディスクアレイ装置の高さは３Ｕ（Ｕはユニットの略、約１３４ｍｍ）である。２．５インチＨＤＤユニットの長さを３Ｕ以内にできれば、ディスクアレイ装置及びそれを搭載するラックマウント装置の大幅な外形設計変更をせずに、ユニットはディスクアレイ装置の長手方向に挿入されてもよいし、高さ方向に挿入されてもよいなど設計の自由度が向上する。即ち、前記ユニットは２．５インチハードディスクドライブユニットであり、前記電子機器の高さは３Ｕ（１Ｕ＝４４．４５ｍｍ）であることが望ましい。
【００２５】
また、前記電子機器は、行列状に配置された複数のユニットが前記電子機器の高さ方向に沿って着脱可能に搭載され、前記高さ方向に垂直に配置されたバックパネルを有するディスクアレイ装置であり、前記バックパネルは各ユニットに供給される電力と格納されるべきデータを中継してもよい。バックパネルを高さ方向に垂直に配置することによって複数列のユニットの搭載が容易になる。通常ユニットはバックパネルに垂直に着脱されるから、ユニットが従来のようにディスクアレイ装置の長手方向又は奥行き方向に着脱する構造では前列から２列目又はそれ以降にユニットを搭載しようとしてもバックパネルが障害となり複数列にユニットを配置することは困難となるし、その場合にはバックパネルも複数必要となる。これに対して、バックパネルをディスクアレイ装置の高さ方向に垂直に配置してディスクアレイ装置の上部を開口すれば、かかる開口を介して一のバックパネルに行列状にユニットを配置することができるのでバックパネルの点数の削減と容量の増加を図ることができる。
【００２６】
前記電子機器は、前記バックパネルに固定され、前記ユニットの前記バックパネルへの接続をガイドすると共に前記バックパネルに接続された各ユニットを収納する搭載フレームを更に有してもよい。搭載フレームにより、各ユニットはバックパネルへの着脱が容易となり、また、各ユニットを収納・保持するために各ユニットが振動などによって変位したり、その結果、各ユニットとバックパネルとの接続部の破損したりすることを防止することができる。
【００２７】
前記電子機器は、電源を供給するための電源ユニットと、前記バックパネルに対して前記高さ方向に搭載されると共に前記電源ユニットと前記高さ方向に垂直な前記ディスクアレイ装置の長手方向に沿って接続する中継基板と、前記バックパネルに接続され、前記データを送受信するためのインターフェースユニットとを更に有してもよい。バックパネルと中継基板との接続の方向と中継基板と電源ユニットとの接続の方向とを直交させることによって、ディスクアレイ装置の長手方向又は奥行き方向に沿ってバックパネルに隣接して電源ユニットを配置することができる。ディスクアレイ装置では幅が（１９インチキャビネットなどと）ＥＩＡ規格で決まっているために制約のない長手方向にバックパネルと電源ユニットを配置することが好ましいからである。
【００２８】
前記電子機器は、前記バックパネルに接続され、前記データを送受信するためのインターフェースユニットを更に有し、当該インターフェースユニットは第１及び第２のインターフェースユニットを含み、前記第１のインターフェースユニットは前記バックパネルに前記バックパネルに対して前記高さ方向に搭載され、前記第２のインターフェースユニットは前記第１のインターフェースユニットに対して前記ディスクアレイ装置の前記長手方向に沿って接続してもよい。これにより、第１のインターフェースユニットはディスクアレイ装置の上部からバックパネルに取り付け、第２のインターフェースユニットはディスクアレイ装置の後部から第１のインターフェースユニットに取り付けることができる。インターフェースユニットはディスクアレイ装置の長手方向の全長に亘ることが多く、バックパネルとディスクアレイ装置の高さ方向に沿って接続するためにはこのような構成が好ましい。
【００２９】
前記バックパネルに対して前記高さ方向に搭載され、前記バックパネルを介して電力が供給され、前記複数のユニットを送風によって冷却する冷却ファンユニットを更に有することを特徴とする。これにより、ユニットの搭載密度を高めた場合に、ユニットから発生する発熱量が増大してユニットが熱破壊することを防止することができる。
【００３０】
前記電子機器は、前記バックパネルに対して前記高さ方向に搭載され、前記バックパネルを介して電力が供給され、前記ユニット及び／又は前記ディスクアレイ装置の状態を表示する表示装置を更に有することが好ましい。かかる表示装置は、例えば、前記ユニット及び前記ディスクアレイ装置のそれぞれの動作の正常及び異常を知らせる４種類のランプを有してもよい。
【００３１】
前記電子機器は、行列状に配置された複数のユニットが前記電子機器の高さ方向に沿って着脱可能に搭載され、前記高さ方向に垂直に配置されたバックパネルを有するディスクアレイ装置を複数段前記電子機器の高さ方向に搭載可能なラックマウント装置であってもよい。また、前記ディスクアレイ装置は、前記ラックマウント装置から引き出し可能に前記ラックマウント装置に搭載されていてもよい。これにより、ユニットの着脱が容易になる。
【００３２】
本発明の更なる目的又はその他の特徴は、以下、添付図面を参照して説明される好ましい実施例によって明らかにされるであろう。
【発明の効果】
【００３３】
本発明によれば、電子機器に対してユニットを着脱可能にする小型の着脱機構と、当該着脱機構を有するユニットと、当該ユニットが着脱される電子機器とを提供することができる。
【発明を実施するための最良の形態】
【００３４】
以下、添付図面を参照して、本発明の一実施形態のＨＤＤユニット１００について説明する。ここで、図１は、ＨＤＤユニット１００の外観斜視図であり、図２は、ＨＤＤユニット１００の分解斜視図である。図３（ａ）はＨＤＤユニット１００の正面図であり、図３（ｂ）はＨＤＤユニット１００の側面図である。
【００３５】
ＨＤＤユニット１００は、情報を記録及び再生する記憶装置として機能し、図３（ａ）及び図３（ｂ）に示すように、幅Ｗ１１、長さＬ１１及び高さＨ１１を有する。幅Ｗ１１、長さＬ１１及び高さＨ１１は、それぞれ、例えば、１８ｍｍ、１１３．７ｍｍ、及び、７６ｍｍである。また、ＨＤＤユニット１００は、図１及び図２に示すように、２．５インチＨＤＤ１１０と、ケース又はカバー１２０と、固定手段（ネジ）１３０ａ乃至１３０ｄと、スペーサ１３１ａ及び１３１ｂと、導光管１３５と、着脱機構１４０とを有する。
【００３６】
２．５インチＨＤＤ１１０は、ＨＤＤユニット１００の本体であり、内部に２．５インチの磁気ディスクを内蔵している。２．５インチＨＤＤ１１０は、図２、図４（ａ）及び図４（ｂ）に示すように、正面１１１ａ、上面１１１ｂ、側面１１１ｃ及び背面１１１ｄを含むほぼ直方体形状を有する。また、２．５インチＨＤＤ１１０は、取付穴１１２ａ乃至１１２ｄと、コネクタ１１４とを有する。ここで、図４（ａ）は２．５インチＨＤＤ１１０の正面図であり、図４（ｂ）は２．５インチＨＤＤ１１０の側面図である。２．５ＨＤＤ１１０は、図４（ａ）及び図４（ｂ）に示すように、幅Ｗ２１、長さＬ２１及び高さＨ２１を有する。幅Ｗ２１、長さＬ２１及び高さＨ２１は、それぞれ、例えば、１５ｍｍ、１１０．７ｍｍ、及び、７０．１ｍｍである。
【００３７】
図３（ａ）乃至図４（ｂ）を参照するに、ＨＤＤユニット１００は、ＨＤＤユニット１００の長さＬ１１と２．５インチＨＤＤ１１０の長さＬ２１との差（１１３．７−１１０．７）が３ｍｍである。図６を参照すると、ＨＤＤユニット１００の長さＬ１１における着脱機構１４０の長さ、即ち、アーム１６０がケース１２０の正面１２０ａから突出している長さＬ１２は、約３ｍｍである。これに対して、図１４（ａ）乃至図１５（ｂ）を参照するに、ＨＤＤユニット２０は、ＨＤＤユニット２０の長さＬ２と３．５インチＨＤＤ３０の長さＬ１との差（２０４−１４７）が５７ｍｍである。従来の挿抜機構４２の長さＬ３が約５７ｍｍであることに鑑みると、ＨＤＤユニット１００は、その長さＬ１１における着脱機構１４０の長さＬ１２を３ｍｍと大幅に短縮することによって従来のＨＤＤユニット２０よりも長さの短縮化又は小型化を図っている。ここで、図６は、図３（ｂ）のＢ部の拡大側面図である。
【００３８】
取付穴１１２ａ乃至１１２ｄは、２．５インチＨＤＤ１１０の側面１１１ｃに設けられる。取付穴１１２ａ乃至１１２ｄは、それぞれ、ネジ１３０ａ乃至１３０ｄが嵌合されるネジ穴であり、ケース１２０との接続に使用される。また、後述するように、取付孔１１２ａは、着脱機構１４０のレバー１５０を共締するのに使用され、図４（ｂ）に示すように、左隅から横Ｌ２２、高さＨ２２の位置に形成される。本実施形態では、Ｌ２２は９．６３ｍｍであり、Ｈ２２は４．２ｍｍである。また、取付孔１１２ｃ及び１１２ｄは、着脱機構のアーム１６０を共締するのに使用される。
【００３９】
コネクタ１１４は、２．５インチＨＤＤ１１０の背面１１１ｄに設けられる。コネクタ１１４は、図７に示すように、ディスクアレイ装置２００のコネクタ２１０と電気的に接続し、情報伝達や電源供給に使用される。コネクタ２１０は更にバックパネル２２０に接続される。ここで、図７は、ディスクアレイ装置２００に装着されているＨＤＤユニット１００の断面図である。
【００４０】
ケース１２０は、２．５インチＨＤＤ１１０を保護すると共にその電子機器２００への着脱を容易にする。ケース１２０は、例えば、厚さ０．４ｍｍの金属平板を折り曲げることによって構成される。ケース１２０は、図２に示すように、正面１２１ａ、上面１２１ｂ及び側面１２１ｃを含む。ケース１２０は、正面１２１ａに対向する面と側面１２１ｃに対向する面は開口しており、２．５インチＨＤＤ１１０を受容するトレイ形状を有する。この結果、図１に示すように、２．５インチＨＤＤ１１０のコネクタ１１４はケース１２０の後部から突出する。また、ケース１２０は、取付穴１２２ａ乃至１２２ｄと、放熱孔１２３ａ及び１２３ｂと、導光管取付孔１２４ａと、固定孔１２４ｂと、一対の振動吸収部１２５ａ及び１２５ｂとを有する。
【００４１】
取付穴１２２ａ乃至１２２ｄは、ケース１２０の側面１２１ｃに設けられる。取付穴１２２ａ乃至１２２ｄは、それぞれ、ネジ１３０ａ乃至１３０ｄが嵌合されるネジ穴であり、２．５インチＨＤＤ１１０との接続に使用される。また、後述するように、取付孔１２２ａは、着脱機構１４０のレバー１５０を共締するのに使用され、取付孔１２２ｃ及び１２２ｄは、着脱機構のアーム１６０を共締するのに使用される。
【００４２】
放熱孔１２３ａ及び１２３ｂは２．５インチＨＤＤ１１０の放熱用の貫通孔である。放熱孔１２３ａは、ケース１２０の正面１２１ａと１２１ｃとの角部に設けられる。放熱孔１２３ａは、後述するように、着脱機構１４０のレバー１５０の放熱孔に連通し、２．５インチＨＤＤ１１０と外気との連通を確保している。放熱孔１２３ｂは、ケース１２０の側面１２１ｃに、例示的に９行３列にマトリックス状に形成されており、２．５インチＨＤＤ１１０と外気との連通を確保している。本実施例では、図３（ｂ）の水平方向に放熱孔１２３ｂが延びている。これは、２．５インチＨＤＤ１１０を冷却する空冷の風の方向がディスクアレイ装置２００内で図３（ｂ）の水平方向であるためである。
【００４３】
導光管取付孔１２４ａは、ケース１２０の上面１２１ｂの裏を通るように設けられ、導光管１３５が取り付けられる貫通孔である。導光管取付孔１２４ａは、ケース１２０と２．５インチＨＤＤ１１０との間の隙間（スペース）に連通し、かかるスペースに導光管１３５は収納される。固定孔１２４ｂは、ケース１２０の上面１２１ｂのほぼ中央の２．５インチＨＤＤ１１０よりに設けられる矩形の孔である。固定孔１２４ｂは導光管１３５の矩形の突起１３５ａを受容し、導光管１３５を固定する。
【００４４】
振動吸収部１２５ａ及び１２５ｂは、２．５インチＨＤＤ１１０の上面１１１ｂに当接して２．５インチＨＤＤ１１０に加わる振動を吸収する板バネから構成されている。振動吸収部１２５ａ及び１２５ｂは、ケース１２０の上面１２１ｂの前部及び後部にケース１２０の長手方向に沿って設けられている。
【００４５】
ネジ１３０ａ乃至１３０ｄは、それぞれ、取付孔１１２ａ乃至１１２ｄ、１２２ａ乃至１２２ｄに嵌合し、２．５インチＨＤＤ１１０と、ケース１２０と、着脱機構１４０を共締する固定手段である。ネジ１３０ａ乃至１３０ｄは固定手段の一例であり、本発明はボルトとナットなど他のいかなる機械的手段をも含むものである。ネジ１３０ａは、スペーサ１３１ａと着脱機構１４０のレバー１５０の取付孔１５４を介して取付孔１２２ａ及び１１２ａに挿入される。図５は、図３（ａ）に示すＡ部の拡大断面図である。ネジ１３０ｃは、スペーサ１３１ｂと着脱機構１４０のアーム１６０の取付孔１６１ａを介して取付孔１２２ｃ及び１１２ｃに挿入される。スペーサ１３１ａは、レバー１５０がネジ１３０ａの周りに回転することを可能にする。スペーサ１３１ｂは、アーム１６０の被固定部１６１がネジ１３０ｃに対して移動することを可能にする。
【００４６】
導光管１３５は、ＨＤＤユニット１００の状態を表示する光ファイバーであり、図２に示すように、ほぼＴ字形状を有する。導光管１３５は、取付孔１２４に挿入され、図１に示すように、ケース１２０の正面１２１ａの上部に突出する。導光管１３５は、上述のように、長手方向の中央上部に突起１３５ａを有し、突起１３５ａが上に凸になるように僅かに屈曲している。突起１３５ａが取付孔１２４ｂに掛かり、導光管１３５がケース内に固定される。
【００４７】
着脱機構１４０は、ＨＤＤユニット１００がディスクアレイ装置２００に対して着脱することを可能にし、ケース１２０の側面１２１Ｃ上に設けられる。また、着脱機構１４０は、装着されたＨＤＤユニット１００とディスクアレイ装置２００の係合をロックする。着脱機構１４０は、レバー１５０と、アーム１６０とを有する。
【００４８】
レバー１５０は、ＨＤＤユニット１００をディスクアレイ装置２００から着脱するための力が加えられる部位である。レバー１５０は、厚さ２ｍｍの金属平板を直角に折り曲げたほぼＬ字形状を有し、ケース１２０に対して展開及び折り畳み可能にケース１２０に固定される。レバー１５０は樹脂から構成されてもよい。金属製のレバー１５０はＨＤＤユニット１００の熱により加熱されて高温となるおそれがあるが、樹脂製のレバー１５０はかかる問題を解決するために好ましい。ここで、レバー１５０の折り畳み位置は図７に示す位置であり、レバー１５０の展開位置は後述する図９に示す位置である。なお、本実施形態では、レバー１５０は９０°回転して展開及び折り畳みするが、回転角度は９０°に限定されない。例えば、図１３に示す挿抜機構４２のようにレバー１５０は曲線状に形成される場合があるからである。
【００４９】
レバー１５０がＬ字形状であるので、レバー１５０とケース１２０はケース１２０の正面１２１ａではなく側面１２１ｃで係合することができる。換言すれば、レバー１５０の展開・折り畳み機構をケース１２０の側面１２１ｃに配置することができる。この結果、ケース１２０の正面１２１ａの構造を簡易にし、ケース１２０の長さを短縮することができる。
【００５０】
レバー１５０は、Ｌ字形状を構成する前板１５１ａ及び側板１５１ｂと、係合部１５２と、放熱孔１５３と、取付孔１５４と、爪部１５５と、接続解除部１５６と、斜辺１５７（図９）とを有する。前板１５１ａ及び側板１５１ｂの境界には放熱孔１５３が設けられる。放熱孔１５３はケース１２０の放熱孔１２３ａと連通する。
【００５１】
前板１５１ａは、レバー１５０が展開した状態においてユーザによって保持されて挿脱の際に力が印加される部位である。前板１５１ａにより、ユーザはＨＤＤユニット１１０の正面から見てほぼ左右対称に力を印加することができる。また、前板１５１ａはケース１２０の正面１２１ａと当接することによってレバー１５０が図１に示す時計回りに回転することを防止する。前板１５１ａは、ケース１２０の正面１２１ａの中央部のみを覆っている。正面１２１ａの上部には後述するアームの凹凸部１６１ｂが配置されるからであり、正面１２１ａの下部に前板１５１ａが延びるとレバー１５０の円滑な回転が妨げられるからである。
【００５２】
側板１５１ｂは、係合部１５２と、取付孔１５４と、爪部１５５と、接続解除部１５６と、斜辺１５７とを有する。
【００５３】
係合部１５２は、側板１５１ｂの右上に設けられた突起であり、図７に示すように、レバー１５０が折り畳まれた位置にあるときにアーム１６０の係合部１６１ｃと係合する部位である。本実施形態では、係合部１５２及び１６１ｃは、図７に示すように、鉛直方向に延びているが、所定角度だけ傾斜したり凹凸形状に形成されたりしてもよい。
【００５４】
取付孔１５４は、側板１５１ｂの下部中央に形成され、レバー１５０の回転中心を形成する。取付孔１５４とネジ１３０ａ及びスペーサ１３１ａを介して側板１５１ｂはケース１２０の側面１２１Ｃに９０°回転自在に固定される。レバー１５０の側板１５１ｂが、ネジ１３０ａを中心として展開及び折り畳め（即ち、回転）することができるので、展開・折り畳み機構を従来のように別部材として設けるよりも着脱機構１４０は小型になる。取付孔１５４は、図４（ｂ）を参照して説明したように、２．５インチＨＤＤ１１０の取付孔１１２ａと整列しており、取付孔１１２ａは２．５インチＨＤＤ１１０のほぼ角部に形成されている。これに対して、図１４（ｂ）に示す左下の取付孔の位置（Ｌ４，Ｈ４）は、例えば、（６１．２７ｍｍ，３．１７ｍｍ）であり、Ｌ４が大きいため、３．５インチＨＤＤ３０の角部に形成されていない。このため、従来の３．５インチＨＤＤ３０では単に図１４（ｂ）に示す左下の取付孔に共締するだけでは挿抜機構４２の回転半径が大きくなって必ずしもＨＤＤユニット２０の小型化をもたらさない。本実施形態では、共締に使用する取付孔１１２ａ及び１２２ａをＨＤＤユニット１００の角部に配置してレバー１５０の回転半径を小さくし、着脱機構１４０の小型化を達成している。
【００５５】
爪部１５５は、側板１５１ｂの取付孔１５４の下に形成される。爪部１５５は、図７に示すように、レバー１５０が折り畳み位置にあるときに、ディスクアレイ装置２００のガイド２３０と係合し、ディスクアレイ装置２００に対してＨＤＤユニット１００を固定する。これにより、振動などによってＨＤＤユニット１００のディスクアレイ装置２００からの脱落、電気的切断、コネクタ１１４及び２１０の破壊を防止することができる。本実施形態では、爪部１５５及びガイド２３０は、図７に示すように、鉛直方向に延びているが、所定角度だけ傾斜したり凹凸形状に形成されたりしてもよい。
【００５６】
接続解除部１５６は、側板１５１ｂの取付孔１５４の左側に形成される。接続解除部１５６は、後述する図９に示すように、ディスクアレイ装置２００のガイド２３０と当接してこれを押圧することによって、コネクタ１１４と２１０との接続を解除する。斜辺１５７は、ＨＤＤユニット１００をディスクアレイ装置２００に取り付ける際に、図９において時計回りに回転されてアーム１６０の被固定部１６１の斜辺１６１ｄ上を滑ると共に被固定部１６１を上に移動させる。この結果、図７に示す状態をもたらす。
【００５７】
アーム１６０は、ケース１２０の側面１２１ｃに設けられ、樹脂などの弾性変形可能な材料から構成され、ほぼＴ字形状を有する係止部材である。アーム１６０は、被固定部１６１と、支部１６２と、被固定部１６３と、付勢部１６４とを有する。
【００５８】
被固定部１６１は、ロック位置とロック解除位置との間で変位可能にケース１２０の側面１２１ｃに固定される。ここで、「ロック位置」とは、図７に示すように、ケース１２０に折り畳まれたレバー１５０と係合してレバー１５０を折り畳み位置にロックする位置である。また、「ロック解除位置」とは、図８に示すように、レバー１５０に対するロックを解除してレバー１５０がケース１２０から展開することを許容する位置である。
【００５９】
図１２乃至図１５（ｂ）に示す従来例では、図示しないイジェクトボタンが押される（即ち、移動する）方向はケース４０の前面に垂直な方向であるためにＬ３が大きくなりケースは長手方向に大型になる。これに対して、本実施例のアーム１６０は、被固定部１６１の移動がケース１２０の側面１２１ｃに沿っているため、ＨＤＤユニット１００は側面１２１ｃに垂直な方向に大型にならず、せいぜい被固定部１６１の厚さ分だけ幅が増えるに過ぎない。
【００６０】
また、従来例は、係止部材がケースの一部であり、レバーはケースと係合する。これに対して、本実施例では、アーム１６０はケース１２０とは別体であり、レバー１５０はケース１２０ではなくアーム１６０と係合するので、アーム１６０とレバー１５０の配置の自由度が高い。このため、本実施例の着脱機構１４０は、ケース１２０の小型化を維持するようなアーム１６０とレバー１５０の配置を選択することができる。
【００６１】
図８は、ディスクアレイ装置２００に装着されているＨＤＤユニット１００を取り外す動作を説明するための断面図である。被固定部１６１には、取付孔１６１ａと、凹凸部１６１ｂと、係合部１６１ｃと、斜辺１６１ｄとが形成される。
【００６２】
被固定部１６１は、ネジ１３０ｃ、スペーサ１３１ｂ及び取付孔１６１ａを介してケース１２０の側面１２１ｃに、２．５インチＨＤＤ１１０と共締される。取付孔１６１ａは、図２では、円を縦方向に若干引き伸ばした長円形状を有する。このため、被固定部１６１は、取付孔１６１ａの長手方向に、即ち、上方向に移動可能になる。
【００６３】
凹凸部１６１ｂは、被固定部１６１がロック位置からロック解除位置に移動する際に力が加えられる被固定部１６１の端部に波状に形成された部位である。凹凸部１６１ｂによりアーム１６０を移動するユーザの指が引っかかり易く、操作性が向上する。また、イジェクトボタンなどを配置するよりも機構が簡単で着脱機構１４０の小型化に資する。レバー１５０が折り畳まれた状態では凹凸部１６１ｂの凸部とレバー１５０の前板１５１ａとは面一のほぼ関係にある。凹凸部１６１ｂが突出していればディスクアレイ装置２００にＨＤＤユニット１００が装着された時に何かが凹凸部１６１ｂに引っ掛かってＨＤＤユニット１００が抜け出すおそれがあるからである。アーム１６０が樹脂製であれば凹凸部１６１ｂはＨＤＤユニット１００が駆動後の温度上昇の影響を受けないのでユーザによる操作性がよい。
【００６４】
係合部１６１ｃは、被固定部１６１がロック位置にあるときにレバー１５０の係合部１５２と係合し、被固定部１６１がロック解除位置にあるときにレバー１５０の係合部１５２との係合を解除する突起である。係合部１６１ｃは取付孔１６１ａの直下に張り出している。
【００６５】
支部１６２は、被固定部１６１及び１６３を接続するロッド状の部材である。被固定部１６１がロック位置からロック解除位置に移動すると、支部１６２は、上方に変形し、自身の弾性力により元の状態に復帰しようとする復帰力が作用する。この結果、ロック解除位置に移動した被固定部１６１にはロック位置に戻ろうとする力が働く。支部１６２が弾性変形可能で自走式であるため、復帰手段を引張バネなどによって構成する必要がなく、部品点数を省略して小型化を達成することができる。
【００６６】
被固定部１６３は、ネジ１３０ｄによってケース１２０の側面１２１ｃに移動不能に共締される。被固定部１６３は支部１６２の一端に接続されているので、被固定部１６１が変位した際に被固定部１６３が移動しない構成は支部１６２に被固定部１６１をロック位置に復帰させる弾性力を生成させる。共締により、アーム１６０は、被固定部１６３又はネジ１３０ｄを中心として移動又は変位することになり、移動機構を従来のように別部材として設けるよりも着脱機構は小型になる。
【００６７】
付勢部１６４は、図７に示すように、係合部１６１ｃと１５２が係合している間に、レバー１５０が展開する方向に、側板１５１ｂの上部に付勢力を加える。付勢部１６４は、支部１６２の被固定部１６１付近から下方に延び、鉛直部１６４ａと曲線部１６４ｂとを有する。鉛直部１６４ａは支部１６２に接続して支部１６２に対してほぼ垂直下方に延在する。曲線部１６４ｂは、鉛直部１６４ａに接続し、側板１５１ｂに当接する。鉛直部１６４ａと曲線部１６４ｂの組み合わせによって付勢部１６４をなるべく小型にしてレバー１５０付近に配置することができる。曲線部１６４は、弾性変形可能で弾性力を側板１５１ｂに加える。付勢部１６４が弾性変形可能で自走式であるため、付勢手段を圧縮バネなどによって構成する必要がなく、部品点数を省略して着脱機構１４０の小型化に資する。
【００６８】
以下、図７乃至図９を参照して、ＨＤＤユニット１００をディスクアレイ装置２００から取り外す動作について説明する。ここで、図９は、ディスクアレイ装置２００に装着されているＨＤＤユニット１００を取り外す動作を説明するための断面図であり、図８の後の状態を示している。なお、ＨＤＤユニット１００をディスクアレイ装置２００に装着する際には、以下に説明する動作と逆の動作が行われる。
【００６９】
まず、被固定部１６１が図７に示すロック位置にある場合には、係合部１５２と１６１ｃが係合し、レバー１５０は折り畳み状態でロックされる。また、爪部１５５とガイド２３０が係合し、振動などの影響があってもＨＤＤユニット１００がディスクアレイ装置２００から抜け落ちることはない。更に、コネクタ１１４とコネクタ２１０が係合し、ＨＤＤユニット１００とディスクアレイ装置２００とは電気的に接続され、ＨＤＤユニット１００は電源供給や情報の記録再生を行うことができる。なお、付勢部１６４はレバー１５０に圧縮力を加えている。
【００７０】
次に、ユーザは凹凸部１６１ｂに指を引っ掛けて被固定部１６１を図８の矢印方向に持ち上げ、取付孔１６１ａに沿ってロック解除位置に移動する。被固定部１６１がロック位置からロック解除位置に移動する方向は、ＨＤＤユニット１００をディスクアレイ装置２００からイジェクトする方向（図９に示す矢印方向）とほぼ直交している。「ほぼ直交」としたのは、被固定部１６１がネジ１３０ｄを中心に回転するため、完全に直交しない場合を含む趣旨である。いずれにしてもこのように移動方向が直交する構成は、アーム１６０が移動するスペースをＨＤＤユニット１００をディスクアレイ装置２００からイジェクトする方向、即ち、ＨＤＤユニットの長手方向に確保する必要がないので、ＨＤＤユニット１００又はケース１２０の長さを短縮することができる。
【００７１】
図８に示す状態では、係合部１５２と１６１ｃとの係合は解除され、レバー１５０は折り畳み状態のロックが解除される。また、爪部１５５とガイド２３０の係合も解除され、ＨＤＤユニット１００はディスクアレイ装置２００からイジェクト可能となる。但し、この状態では未だコネクタ１１４とコネクタ２１０の係合は維持されているので、ＨＤＤユニット１００は未だディスクアレイ装置２００内で保持されている。更に、付勢部１６４による弾性力によってレバー１５０は前方矢印方向に傾斜し、ユーザがレバー１５０を前方に倒すことを容易にする。その結果、付勢部１６４とレバー１５０とは離間する。また、支部１６２には図７に示す状態に復帰しようとする力が働く。
【００７２】
次に、ユーザは凹凸部１６１ｂから指を離す。すると、支部１６２に働く復帰力によって被固定部１６１は図７の状態に復帰する。レバー１５０が図９に示す展開位置に移動する過程で接続解除部１５６がディスクアレイ装置２００のガイド２３０に当接する。ユーザがレバー１５０を回転角度が９０度になるように更に倒して展開位置に移動させることによって接続解除部１５６がガイド２３０を押圧し、その結果、コネクタ１１４とコネクタ２１０との接続が解除される。レバーの展開動作がＨＤＤユニット１００とディスクアレイ装置２００との電気的接続を解除する動作を兼ねるため操作性が向上する。これにより、ＨＤＤユニット１００をディスクアレイ装置２００内で保持する力はなくなり、ユーザはレバー１５０の前板１５１ａを保持して前方矢印方向に引き抜くことによってＨＤＤユニット１００をディスクアレイ装置２００からイジェクトすることができる。
【００７３】
以下、図１６乃至図２１を参照して、本発明の別の一実施例のＨＤＤユニット１００Ａについて説明する。ここで、図１６は、ＨＤＤユニット１００Ａの外観斜視図であり、図１７は、ＨＤＤユニット１００Ａの分解斜視図である。図１８はＨＤＤユニット１００Ａのケース１２０Ａの裏側を示す分解斜視図である。なお、ＨＤＤユニット１００Ａの各構成要素について、ＨＤＤユニット１００の対応する構成要素と同様のものについては同一の参照符号を付して説明は省略する。
【００７４】
ＨＤＤユニット１００Ａは、情報を記録及び再生する記憶装置として機能し、図１６及び図１７に示すように、２．５インチＨＤＤ１１０と、ケース又はカバー１２０Ａと、固定手段（ネジ）１３０ａ乃至１３０ｄと、スペーサ１３１ａ及び１３１ｂと、導光管１３５と、着脱機構１４０Ａとを有する。
【００７５】
ケース１２０Ａは、２．５インチＨＤＤ１１０を保護すると共にその電子機器２００への着脱を容易にする。ケース１２０Ａは、例えば、厚さ０．４ｍｍの金属平板を折り曲げることによって構成される。ケース１２０は、図１７及び図１８に示すように、正面１２１ｄ、上面１２１ｅ、側面１２１ｆ及び底面１２１ｇを含む。ケース１２０Ａは、正面１２１ｄに対向する面と側面１２１ｆに対向する面は開口しており、２．５インチＨＤＤ１１０を受容するトレイ形状を有する。また、ケース１２０Ａは、取付穴１２２ａ乃至１２２ｄと、放熱孔１２３ｃと、導光管取付孔１２４ａと、固定孔１２４ｂと、一対の振動吸収部１２５ｃ及び１２５ｄと、バネ取付孔１２６と、係止部１２７とを有する。
【００７６】
放熱孔１２３ｃは２．５インチＨＤＤ１１０の放熱用の貫通孔であるが、放熱孔１２３ｂと異なり、図１６の上下方向に延びている。これは、２．５インチＨＤＤ１１０を冷却する空冷の風の方向がディスクアレイ装置２００内で図１６の上下方向であるためである。このため、放熱孔１２３ａも設けられていない。振動吸収部１２５ｃ及び１２５ｄは、振動吸収部１２５ａ及び１２５ｂと同様の機能を有するが底面１２１ｇに設けられている点で相違する。
【００７７】
バネ取付孔１２６は、図１８に示すように、ケース１２０Ａの上面１２１ｄの裏を通るように設けられ、バネ１４２が取り付けられる貫通孔である。バネ取付孔１２６は、導光管取付孔１２４ａと同様に、ケース１２０Ａと２．５インチＨＤＤ１１０との間の隙間（スペース）に連通し、かかるスペースにバネ１４２が導光管１３５に部分的に並列して収納される。
【００７８】
係止部１２７は、図１７に示すように、ケース１２０Ａの側面１２１ｆを外側に切り起こすことによって形成され、レバー１５０Ａの後述する斜面１５８と当接してレバー１５０Ａが図２１に示す状態から反時計回りに回転しないように規制する。
【００７９】
着脱機構１４０Ａは、ＨＤＤユニット１００Ａがディスクアレイ装置２００に対して着脱することを可能にし、ケース１２０Ａの側面１２１ｆ上に設けられる。また、着脱機構１４０Ａは、装着されたＨＤＤユニット１００Ａとディスクアレイ装置２００の係合をロックする。着脱機構１４０Ａは、バネ１４１及び１４２と、レバー１５０Ａと、係止部材１６０Ａとを有する。
【００８０】
バネ１４１は、ケース１２０Ａの正面１２１ｄを外側に切り起こすことによって形成された板バネである。バネ１４１は、正面１２１ｄに設けられた孔１２１ｄ１から突出及び対比が可能である。
【００８１】
バネ１４２は、２．５インチＨＤＤ１１０とケース１２０Ａとの間に少なくとも一部が配置され、係止部材１６０Ａを前記ロック位置に付勢する機能を有する板バネである。バネ１４２は、固定部１４２ａと移動部１４２ｂとを有する。固定部１４２ａはほぼ矩形形状を有し、ケース１２０Ａの上面１２１ｅの裏面にスポット溶接により固定される。固定部１４２ａの幅は上面１２１ｅの裏面の幅に略等しく、固定部１４２ａの長さは移動部１４２による付勢力を維持できる強度から設定される。移動部１４２ｂは係止部材１６０Ａに当接してこれを付勢する。移動部１４２ｂは導光管１３５と並列に配置され、もともと導光管１３５を設置するための既存のスペースを利用しているのでユニットの大型化をもたらさない。
【００８２】
バネ１４２の付勢力はバネ１４１の付勢力よりも大きく設定される。付勢力の関係が逆であれば、図１９の状態から図２０の状態となって係止部材１６０Ａとレバー１５０Ａとの係合が解除されるおそれがあるからである。
【００８３】
レバー１５０Ａは、ＨＤＤユニット１００Ａをディスクアレイ装置２００から着脱するための力が加えられる部位である。レバー１５０Ａは、樹脂製でほぼＬ字形状を有し、ケース１２０Ａに対して展開及び折り畳み可能にケース１２０Ａに固定される。レバー１５０Ａの折り畳み位置は図１９に示す位置であり、レバー１５０の展開位置は後述する図２１に示す位置である。レバー１５０ＡがＬ字形状である効果はレバー１５０と同様である。レバー１５０は、Ｌ字形状を構成する前板１５１ｃ及び側板１５１ｄと、係合部１５２と、取付孔１５４と、爪部１５５と、接続解除部１５６と、斜辺１５７及び１５８とを有する。
【００８４】
前板１５１ｃ及び側板１５１ｄは、放熱孔１５３がその境界にないが実質的に前板１５１ａ及び側板１５１ｂと同様に機能する。但し、本実施例では、前板１５１ｃの裏面でバネ１４１が当接する部分は窪んでおり、バネ１４１は前板１５１ｃのかかる窪みと係合する。
【００８５】
側板１５１ｄは、係合部１５２と、取付孔１５４と、爪部１５５と、接続解除部１５６と、斜辺１５７及び１５８を有する。レバー１５０が展開位置にあると、斜辺１５８は、図２１に示すように、ケース１２０Ａの係止部１２７と当接する。レバー１５０Ａは図２１に示す状態から反時計回りに回転しないので、レバー１５０Ａが不必要に回転することを防止して操作性を向上することができる。
【００８６】
係止部材１６０Ａは、ケース１２０Ａの側面１２１ｆに設けられ、樹脂などの弾性変形可能な材料から構成され、ほぼＬ字形状を有する。係止部材１６０Ａは、被固定部１６１Ａと被付勢部１６５とを有する。
【００８７】
被固定部１６１は、ロック位置とロック解除位置との間で変位可能にケース１２０の側面１２１ｆに固定される。被固定部１６１Ａの移動はケース１２０Ａの側面１２１ｆに沿っているため、ＨＤＤユニット１００は側面１２１ｆに垂直な方向に大型にならない。係止部材１６０Ａとレバー１５０Ａの配置の自由度が高い点はアーム１６０及びレバー１５０と同様である。被固定部１６１Ａは、取付孔１６１ａと、係合部１６１ｃと、斜辺１６１ｄとを有する。
【００８８】
被付勢部１６５は、バネ１４２の移動部１４２ｂと当接してバネ１４２により図１６の下向きの力が加わる部位である。被付勢部１６５は凹凸部１６１ｂと同様に機能する凹凸部を含む。被付勢部１６５は、ケース１２０Ａの正面１２１ｄに平行に若干離間して配置されており、係止部材１６０Ａの回転を防止する。若干離間しているのは被固定部１６１の上下方向の円滑な移動を確保するためである。被固定部１６１に下向きの力を加えるよりも被付勢部１６５に下向きの力を加える方が係止部材１６０Ａの動作が安定化することが実験的に確認された。
【００８９】
以下、図１９乃至図２１を参照して、ＨＤＤユニット１００Ａをディスクアレイ装置２００から取り外す動作について説明する。ここで、図１９は、ディスクアレイ装置２００に装着されているＨＤＤユニット１００Ａの断面図である。図２０は、ディスクアレイ装置２００に装着されているＨＤＤユニット１００Ａを取り外す動作を説明するための断面図である。図２１は、ディスクアレイ装置２００に装着されているＨＤＤユニット１００Ａを取り外す動作を説明するための断面図であり、図２０の後の状態を示している。なお、ＨＤＤユニット１００Ａをディスクアレイ装置２００に装着する際には、以下に説明する動作と逆の動作が行われる。
【００９０】
まず、被固定部１６１が図１９に示すロック位置にある場合には、係合部１５２と１６１ｃが係合し、レバー１５０Ａは折り畳み状態でロックされる。また、爪部１５５とガイド２３０が係合し、振動などの影響があってもＨＤＤユニット１００Ａがディスクアレイ装置２００から抜け落ちることはない。更に、コネクタ１１４とコネクタ２１０が係合し、ＨＤＤユニット１００Ａとディスクアレイ装置２００とは電気的に接続され、ＨＤＤユニット１００Ａは電源供給や情報の記録再生を行うことができる。なお、バネ１４１はレバー１５０Ａに圧縮力を加えている。
【００９１】
次に、ユーザは被付勢部１６５の凹凸部に指を引っ掛けて被固定部１６１をバネ１４２のバネ力に抗して図２０の矢印方向に持ち上げ、取付孔１６１ａに沿ってロック解除位置に移動する。被固定部１６１がロック位置からロック解除位置に移動する方向は、図８及び図９と同様に、ＨＤＤユニット１００をディスクアレイ装置２００からイジェクトする方向（図２１に示す矢印方向）とほぼ直交している。
【００９２】
図２０に示す状態では、係合部１５２と１６１ｃとの係合は解除され、レバー１５０Ａは折り畳み状態のロックが解除される。また、爪部１５５とガイド２３０の係合も解除され、ＨＤＤユニット１００Ａはディスクアレイ装置２００からイジェクト可能となる。但し、この状態では未だコネクタ１１４とコネクタ２１０の係合は維持されているので、ＨＤＤユニット１００Ａは未だディスクアレイ装置２００内で保持されている。更に、バネ１４１による弾性力によってレバー１５０Ａは前方矢印方向に傾斜し、ユーザがレバー１５０Ａを前方に倒すことを容易にする。その結果、バネ１４１とレバー１５０とは離間する。また、係止部材１６０Ａにはバネ１４２により図７に示す状態に復帰しようとする力が働く。
【００９３】
次に、ユーザは被付勢部１６５の凹凸部から指を離す。すると、バネ１４２のバネ力によって被固定部１６１は図１９の状態に復帰する。レバー１５０Ａが図２１に示す展開位置に移動する過程で接続解除部１５６がディスクアレイ装置２００のガイド２３０に当接する。ユーザがレバー１５０Ａを回転角度が９０度になるように更に倒して展開位置に移動させることによって接続解除部１５６がガイド２３０を押圧し、その結果、コネクタ１１４とコネクタ２１０との接続が解除される。なお、斜辺１５８と突起１２７との接触によりレバー１５０Ａがそれ以上回転することが規制され、図２１に示す状態で安定する。レバー１５０Ａの展開動作がＨＤＤユニット１００Ａとディスクアレイ装置２００との電気的接続を解除する動作を兼ねるため操作性が向上する。これにより、ＨＤＤユニット１００Ａをディスクアレイ装置２００内で保持する力はなくなり、ユーザはレバー１５０Ａの前板１５１ａを保持して前方矢印方向に引き抜くことによってＨＤＤユニット１００Ａをディスクアレイ装置２００からイジェクトすることができる。
【００９４】
以下、図１０（ａ）乃至図１１（ｂ）を参照して、ＨＤＤユニット１００とディスクアレイ装置２００との装着方式の例について説明する。ディスクアレイ装置２００は、大型コンピュータの補助記憶装置であり、主にデータのバックアップを行うために用いられ。
【００９５】
図１０（ａ）及び図１０（ｂ）は、ＨＤＤユニット１００がディスクアレイ装置２００Ａの長手方向に着脱される方式を示し、図１０（ａ）は２０台のＨＤＤユニット１００が装着されたディスクアレイ装置２００Ａの外観透視斜視図であり、図１０（ｂ）は図１０（ａ）の分解図である。２２０Ａはバックパネル、２４０Ａは電源ユニット、２５０Ａはインターフェースユニットである。この場合、ディスクアレイ装置２００Ａの高さは、例えば、２Ｕ（＝８８．９ｍｍ）となる。
【００９６】
一方、図１１（ａ）及び図１１（ｂ）は、ＨＤＤユニット１００がディスクアレイ装置２００Ｂの高さ方向に着脱される方式を示し、図１１（ａ）は６０台のＨＤＤユニット１００が装着されたディスクアレイ装置２００Ｂの外観透視斜視図であり、図１１（ｂ）は図１１（ａ）の分解図である。２２０Ｂはバックパネル、２４０Ｂは電源ユニット、２５０Ｂはインターフェースユニット、２６０は冷却ファンユニットである。この場合、ディスクアレイ装置２００Ｂの高さは、例えば、３Ｕ（＝１３３．３５ｍｍ）となる。
【００９７】
図１１（ａ）及び図１１（ｂ）では、ＨＤＤユニット１００の長さはディスクアレイ装置２００Ｂの高さに適合しなければならないため、ＨＤＤユニット１００を長さを短縮することは有効である。３．５インチＨＤＤユニット用のディスクアレイ装置の高さは３Ｕであるため、２．５インチＨＤＤユニットの長さを３Ｕ以内にできれば、ディスクアレイ装置２００Ｂ及びそれを搭載するラックマウント装置の大幅な外形設計変更をせずに、ＨＤＤユニット１００は、図１０（ａ）及び図１０（ｂ）に示すように、ディスクアレイ装置２００Ａの長手方向に挿入されてもよいし、図１１（ａ）及び図１１（ｂ）に示すように、ディスクアレイ装置２００Ｂの高さ方向に挿入されてもよいなど設計の自由度が向上する。
【００９８】
なお、図１０（ａ）乃至図１１（ｂ）において、ＨＤＤユニット１００はＨＤＤユニット１００Ａに置換できることはいうまでもない。典型的に、ディスクアレイ装置２００はその長手方向に沿ってＨＤＤユニット１００及びディスクアレイ装置２００の冷却（空冷）を行う。効率的な冷却（又は放熱）のためには、放熱孔１２３ｂ及び１２３ｃの方向は冷風方向に一致する必要があるので、ディスクアレイ装置２００ＢにとってはＨＤＤユニット１００Ａを使用することが好ましい。この場合、ＨＤＤユニット１００Ａの代わりに、放熱孔１２３ｂの方向を９０°回転したＨＤＤユニット１００を使用することも考えられる。しかし、ディスクアレイ装置２００Ｂにおいては冷風方向が図１及び図２における上下方向であるので、たとえ放熱孔１２３ｂの方向を９０°回転しても支部１６２が冷風を遮り、効率的な冷却を妨げるおそれがある。このため、ＨＤＤユニット１００Ａを使用することが好ましい。
【００９９】
以下、図２２（ａ）乃至図２８を参照して、図１１（ａ）及び図１１（ｂ）に示すディスクアレイ装置２００Ｂのより具体的な構成であるディスクアレイ装置２００Ｃについて説明する。ここで、図２２（ａ）は、複数段のディスクアレイ装置２００Ｃを引き出し可能に収納するラックマウント装置３００の概略正面図である。図２２（ｂ）は、従来の３．５インチＨＤＤユニット２０を収納するディスクアレイ装置１０を複数段収納するラックマウント装置５０の概略正面図である。ラックマウント装置３００及び５０は、いずれも複数段のディスクアレイ装置２００Ｃ及び１０を搭載し、大容量の記憶装置として機能する。ラックマウント装置の幅ＷはＥＩＡ（Ｅｌｅｃｔｒｏｎｉｃ Ｉｎｄｕｓｔｒｉｅｓ Ａｓｓｏｃｉａｔｉｏｎ）規格で所定幅に規定されている。図２２（ａ）及び図２２（ｂ）はいわゆる１９インチキャビネットの寸法を有し、高さは通常３６Ｕ程度である。
【０１００】
図２２（ｂ）に示す従来のラックマウント装置５０はディスクアレイ装置１０をラックマウント装置５０に固定（ネジ止め）している。図１２（ａ）に示すように、ＨＤＤユニット２０はディスクアレイ装置１０の長手方向（又は奥行き方向）（図２２（ｂ）においては紙面に垂直な方向）に着脱可能にディスクアレイ装置１０に搭載される。図２２（ｂ）に示すように、ディスクアレイ装置２０はその前面に幅Ｗの方向に沿って１５個のＨＤＤユニット２０を搭載することができ、高さ３Ｕを有する。３．５インチＨＤＤユニット２０は各々３００ＧＢの容量を有するため、ラックマウント装置５０の１Ｕ当たりの容量（即ち、各ディスクアレイ装置１０全体の容量）は、１５×３００／３＝１，５００ＧＢとなる。一方、図２２（ｂ）に示すように、ラックマウント装置５０は１２段のディスクアレイ装置１０を搭載することができるので、ラックマウント装置５０全体の容量は、１５×３００×１２＝５４，０００ＧＢとなる。
【０１０１】
これに対して、図２２（ａ）に示すラックマウント装置３００は、各段のディスクアレイ装置２００を固定せずに引き出しのように構成している。図２２（ａ）に示すラックマウント装置３００を部分拡大斜視図を図２３（ａ）に示す。また、図２３（ａ）に示すラックマウント装置３００から一つのディスクアレイ装置２００Ｃを引き出した状態を図２３（ｂ）に示す。更に、図２４（ａ）及び図２４（ｂ）に、ラックマウント装置３００に取り付けられた一のディスクアレイ装置２００Ｃの概略斜視図を示す。図２４（ａ）はラックマウント装置３００に収納された状態を示す概略斜視図であり、図２４（ｂ）はラックマウント装置３００から引き出された状態を示す概略斜視図である。
【０１０２】
ラックマウント装置３００は、図２４（ａ）に示す筐体３１０内に４本の支柱３２０を有し、４本の支柱３２０には前面が開口した直方体状のラック（棚）３３０が固定されている。支柱３２０には複数のネジ孔３２２が設けられている。各ラック３３０には支柱３２０に対応した位置に図示しないネジ孔の空いた図示しないブラケットが設けられ、各ラック３３０は支柱３２０に図示しないネジで固定されている。もっとも本発明は固定方法を限定するものではなく、当業界で周知の如何なる構成をも使用することができる。
【０１０３】
ディスクアレイ装置２００Ｃは、前面、両側面、底面が閉口しており、上面と背面が開口している。両側面と底面は一枚の金属板を折り曲げ加工することによって構成され、前面にはフロントパネル２０１が取り付けられている。フロントパネル２０１には、通風孔２０２と、表示ランプ用の貫通孔２０３及び２０４が設けられ、一対のハンドル２０５が左右に取り付けられている。
【０１０４】
通風孔２０２は、本実施例ではディスクアレイ装置２００Ｃの左右に一対ずつ設けられている。通風孔２０２は、後述する冷却ファンユニット２６０Ｃが外気を吸引するための孔である。後述するように、冷却ファンユニット２６０Ｃはディスクアレイ装置２００Ｃの左右に一つずつ設けられており、各冷却ファンユニット２６０Ｃには上下に並んだ一対のファン２６３Ｃのセットを２つ有するため合計４箇所の通風孔２０２が設けられている。貫通孔２０３は冷却ファンユニット２６０Ｃの動作状態を示す後述する表示ランプ２６７Ｃを外部から見えるようにするための孔である。表示ランプ２６７Ｃは各冷却ファンユニット２６０Ｃに一つ設けられているので、貫通孔２０３はディスクアレイ装置２００Ｃの左右に一つずつ設けられている。
【０１０５】
一方、貫通孔２０４は後述するＬＥＤユニット２７０Ｃの動作状態を示す４つのランプ２７１Ｃを外部から見えるようにするための孔である。ＬＥＤユニット２７０Ｃはディスクアレイ装置２００Ｃの左右に一つずつ設けられているので、貫通孔２０４もそれに対応してディスクアレイ装置２００Ｃの左右に一箇所ずつ設けられている。
【０１０６】
ハンドル２０５はユーザが把持してディスクアレイ装置２００Ｃをラック３００に対して移動する力を加える部位である。また、ラック３３０と協同してディスクアレイ装置２００Ｃをラック３３０からＬ方向に沿って移動可能にするスライド機構２０６が両側面に設けられている。この結果、ユーザはハンドル２０５を把持して図２４（ａ）に示す状態から図２４（ｂ）に示す状態に、ディスクアレイ装置２００Ｃを引き出すことができる。
【０１０７】
ディスクアレイ装置２００Ｃがラックマウント装置３００から引き出し可能に構成されたことで、ディスクアレイ装置２００Ｃの長手方向又は奥行き方向Ｌに複数列（本実施例では４列）のＨＤＤユニット１００を搭載することができるようになる。ディスクアレイ装置２００Ｃは幅方向Ｗに１６個のＨＤＤユニット１００（以下、参照番号１００は参照番号１００Ａも総括する）を搭載可能であり、高さ３Ｕを有する。２．５インチＨＤＤユニット１００は各々７３ＧＢの容量を有するため、ラックマウント装置３００の１Ｕ当たりの容量（即ち、各ディスクアレイ装置２００Ｃ全体の容量）は、４×１６×７３／３＝１，５５７ＧＢとなる。図２２（ａ）に示すように、ラックマウント装置３００は１２段のディスクアレイ装置２００Ｃを搭載することができるので、ラックマウント装置３００全体の容量は、４×１６×７３×１２＝５６，０６４ＧＢとなる。この結果、ラックマウント装置３００は、１Ｕ当たりの容量も全体の容量も、従来のラックマウント装置５０と同等以上となる。
【０１０８】
なお、ディスクアレイ装置２００Ｃがラックマウント装置３００から引き出し可能に構成されたことはＨＤＤユニット１００の着脱を容易にするものの容量の増加には必ずしも本質的な要件ではない。ＨＤＤユニット１００はディスクアレイ装置２００Ｃに搭載された後は頻繁に着脱や交換されたりするものではない。このため、最初にＨＤＤユニット１００をディスクアレイ装置２００Ｃに搭載してからディスクアレイ装置２００Ｃをラックマウント装置３００にネジ止め固定したとしても（その後にＨＤＤユニット１００をイジェクトする場合にはネジ止めを解除しなければならないものの）容量の増大という効果を得ることができる。
【０１０９】
以下、図２５乃至図３２を参照して、ディスクアレイ装置２００Ｃのより詳細な構造について説明する。ここで、図２５は、ディスクアレイ装置２００Ｃの分解斜視図である。ディスクアレイ装置２００Ｃは、バックパネル組立品２２０Ｃと、電源ユニット２４０Ｃと、インターフェース（Ｉ／Ｆ）ユニットと、冷却ファンユニット２６０Ｃと、ＬＥＤユニット２７０Ｃとを有する。
【０１１０】
バックパネル組立品２２０Ｃは、ディスクアレイ装置２００Ｃの左右に一つずつ設けられ、複数のＨＤＤユニット１００を収納及び接続すると共に電源ユニット２４０Ｃ及びＩ／Ｆユニットとも電気的に接続される。バックパネル組立品２２０Ｃは、ディスクアレイ装置２００Ｃの底板にネジ止めされる。図２５に示すように、バックパネル組立品２２０Ｃには、ネジ止め用の孔２１１Ｃが両側面に４箇所、中央に１箇所設けられている。図２６に示すように、バックパネル組立品２２０Ｃは、中継基板２２１Ｃと、ＨＤＤ搭載フレーム２２３Ｃと、バックパネル２２５Ｃとを有する。ここで、図２６は、バックパネル組立品２２０Ｃの分解斜視図である。
【０１１１】
中継基板２２１Ｃは、電源ユニット２４０Ｃと電気的に接続され、バックパネル２２５Ｃ及びそれに接続されたＨＤＤユニット１００に電力を供給する。中継基板２２１Ｃは、バックパネル２２５Ｃのコネクタ２２６Ｃに接続されるコネクタ２２２Ｃ１と、電源ユニット２４０Ｃに接続される一対のコネクタ２２２Ｃ２とを有する。コネクタ２２２Ｃ１は、バックパネル２２５Ｃに対してディスクアレイ装置２２０の高さ方向Ｃに沿って搭載される。また、コネクタ２２２Ｃ２は、電源ユニット２４０Ｃと高さ方向Ｈに垂直な長手方向Ｌに沿って接続する。なお、コネクタ２２２Ｃ２は、図２６には示されておらず、図３１の中央に示されている。図３１の中央の図はラック３３０から引き出したディスクアレイ装置２００Ｃの上面図であり、図３１の上の図はディスクアレイ装置２００Ｃの背面図であり、図３１の下の図はディスクアレイ装置２００Ｃの正面図であり、図３１の右横の図はディスクアレイ装置２００Ｃの側面図である。中継基板２２１Ｃは、ＨＤＤ搭載フレーム２２３Ｃの最後尾に配置される。
【０１１２】
バックパネル２２５Ｃと中継基板２２１Ｃとの接続の方向（即ち、Ｈ方向）と中継基板２２１Ｃと電源ユニット２４０Ｃとの接続の方向（即ち、Ｌ方向）とを直交させることによって、ディスクアレイ装置２００Ｃの長手方向Ｌに沿ってバックパネル２２５Ｃに隣接して電源ユニット２４０Ｃを配置することができる。ディスクアレイ装置２２０Ｃの幅ＷはＥＩＡ規格で決まっているために規格による制約のない長手方向Ｌにバックパネルと電源ユニットを配置することが好ましいからである。
【０１１３】
なお、中継基板２２１Ｃには図示しない温度センサが搭載され、温度センサが検出した温度情報は中継基板２２１Ｃからバックパネル２２５Ｃを介して冷却ファンユニット２６０Ｃに通知される。
【０１１４】
ＨＤＤ搭載フレーム２２３Ｃは各ＨＤＤユニット１００を収納すると共にＨＤＤユニット１００の着脱を案内する複数のガイド板２２４Ｃを有する。各ガイド板２２４Ｃは、隣接するガイド板２２４Ｃの互いに対向する面にＨＤＤユニット１００の外形に適合する溝又はレールが形成されるように、凹凸形状に加工されている。この結果、ＨＤＤユニット１００の着脱動作が容易になり、ＨＤＤ搭載フレーム２２３Ｃに搭載されたＨＤＤユニット１００が振動により破損することを防止することができる。なお、ＨＤＤ搭載フレーム２２３Ｃは各ＨＤＤユニット１００が着脱及び収納するための空間を形成すれば足りるので本実施例のように溝又はレールを形成してもよいし、隣接するガイド板２２４ＣをＬ方向に接続する別のパーティションを設けて各ＨＤＤユニット１００が着脱及び収納するための空間を区画してもよい。なお、ＨＤＤ搭載フレーム２２３はバックパネル２２５Ｃに複数のネジ２１２Ｃによって固定される。
【０１１５】
バックパネル２２５Ｃは制御用の電子部品を搭載しておらず、中継基板２２１ＣとＩ／Ｆユニット２５２Ａに対する中継部材として機能する。バックパネル２２５Ｃは、ディスクアレイ装置２００Ｃの高さ方向Ｈに垂直に配置され、ＨＤＤユニット１００が高さ方向Ｈにディスクアレイ装置２００Ｃに搭載されることを可能にする。バックパネル２２５Ｃを高さ方向Ｈに垂直に配置することによって複数列のＨＤＤユニット１００の搭載が容易になる。
【０１１６】
ＨＤＤユニットはバックパネルに垂直に着脱されるから、ＨＤＤユニット２０がディスクアレイ装置の長手方向又は奥行き方向に着脱する図１２（ａ）に示す従来構造では、長手方向に複数列ＨＤＤユニット２０を搭載しようとしても最前列のＨＤＤユニット２０の直後に配置されるバックパネルが障害となりそれ以降にＨＤＤユニット２０を配置することは困難になる。更に、このような構成では、複数のバックパネルが必要となる。
【０１１７】
これに対して、バックパネル２２５Ｃをディスクアレイ装置２００Ｃの高さ方向Ｈに垂直に配置してディスクアレイ装置２００Ｃの上面を開口にすれば、かかる開口を介して一のバックパネル２２５Ｃに行列状にＨＤＤユニット１００を配置することができるのでバックパネルの点数の削減と容量の増加を図ることができる。
【０１１８】
バックパネル２２５は、各種の電気部品と電気的に接続される。具体的には、バックパネル２２５Ｃは、ＨＤＤユニット１００に電気的に接続される３２個のコネクタ２１０Ｃと、中継基板２２１Ｃのコネクタ２２２Ｃに電気的に接続されるコネクタ２２６Ｃと、後述するＩ／Ｆユニット２５１Ｃと接続される６つのコネクタ２２７Ｃ、冷却ファンユニット２６０Ｃと電気的に接続されるコネクタ２２８Ｃと、ＬＥＤユニット２７０Ｃのコネクタ２７２Ｃと電気的に接続されるコネクタ２２９Ｃとを有する。また、バックパネル２２５Ｃには、両測部に８つのネジ孔２１１Ｃと中央前部に一つのネジ孔２１１Ｃを介してディスクアレイ装置２００Ｃの底板に固定され、中央の１０個のネジ孔２１３Ｃを介してネジ２１２ＣによりＨＤＤ搭載フレーム２２３Ｃに固定される。
【０１１９】
コネクタ２１０Ｃは、ＨＤＤユニット１００の数に対応して設けられ（従って、本実施例では８行４列）、ガイド板２２４Ｃが形成する各溝の略中央に配置される。コネクタ２２７Ｃは、図２５に示すように、ＨＤＤ搭載フレーム２２３Ｃの両側の外側に３つずつ配置される。バックパネル２２５Ｃは前部に三叉構造を有し、コネクタ２２８Ｃは中央の凸部に形成され、コネクタ２２９Ｃは図２６の三叉の左凸部に形成される。
【０１２０】
電源ユニット２４０Ｃは、図２５に示すように、ディスクアレイ装置２００Ｃの左右に一対ずつ設けられている。電源ユニット２４０Ｃは、ラックマウント装置３００の図示しない電源手段から電力を供給され、中継基板２２１Ｃを介してバックパネル２２５Ｃに電力を供給する。電源ユニット２４０Ｃは、図２５及び図３１の中央に示すように、中継基板２２１Ｃのコネクタ２２２Ｃ２と接続されるコネクタ２４１Ｃを有する。電源ユニット２４０Ｃは、図２７に示すように、ディスクアレイ装置２００Ｃ（ラック３３０）の後方から前方にディスクアレイ装置２００Ｃに挿入されて中継基板２２１Ｃに接続される。ここで、図２７は、電源ユニット２４０ＣとＩ／Ｆユニット２５６Ｃのディスクアレイ装置２００Ｃへの取り付けを説明するための概略斜視図である。
【０１２１】
Ｉ／Ｆユニットは、ＨＤＤユニット１００が格納すべきデータやディスクアレイ装置２００Ｃの各部を制御するための信号を送受信する機能を有し、Ｉ／Ｆユニット２５１ＣとＩ／Ｆユニット２５６Ｃから構成されている。Ｉ／Ｆユニットはバックパネル２２５Ｃに接続する必要があるが、Ｉ／Ｆユニットはディスクアレイ装置２００Ｃの長手方向Ｌの全長に亘る。本実施例のように構成すれば、Ｉ／Ｆユニット２５１Ｃをディスクアレイ装置２００Ｃの上部からバックパネル２２５Ｃに取り付け、Ｉ／Ｆユニット２５６Ｃはディスクアレイ装置２００Ｃの後部からＩ／Ｆユニット２５１Ｃに取り付けることができる。
【０１２２】
Ｉ／Ｆユニット２５１Ｃは、図２８に示すように、筐体２５２Ｃと、筐体２５２に固定されてバックパネル２２５Ｃの３つのコネクタ２２７Ｃに接続される３つのコネクタ２５３Ｃと、筐体２５２Ｃに固定されてＩ／Ｆユニット２５６Ｃに接続されるコネクタ２５４Ｃとを有する。ここで、図２８は、Ｉ／Ｆユニット２５１Ｃの概略斜視図である。筐体２５２Ｃには必要に応じて通風用の貫通孔が形成されてもよい。Ｉ／Ｆユニット２５１Ｃは、図２５に示すように、ディスクアレイ装置２００Ｃの上から高さ方向Ｈに沿ってバックパネル２２５Ｃに固定される。また、Ｉ／Ｆユニット２５１Ｃは、図２５及び図３１の中央に示すように、ディスクアレイ装置２００Ｃの左右に一対ずつ設けられる。
【０１２３】
一方、Ｉ／Ｆユニット２５６は、図２９に示すように、筐体２５７Ｃと、筐体２５７Ｃに固定されてＩ／Ｆユニット２５１Ｃに接続されるコネクタ２５８Ｃと、筐体２５７Ｃに固定されて外部ホストに接続されるコネクタ２５９Ｃとを有する。ここで、図２９は、Ｉ／Ｆユニット２５６Ｃの概略斜視図である。筐体２５７Ｃには必要に応じて通風用の貫通孔が形成されてもよい。Ｉ／Ｆユニット２５６Ｃは、図２７に示すように、ディスクアレイ装置２００Ｃ（ラック３３０）の後方から前方にディスクアレイ装置２００Ｃに挿入されてＩ／Ｆユニット２５１Ｃに接続される。また、図３１の上に示すように、Ｉ／Ｆユニット２５６はＩ／Ｆユニット２５１Ｃに対応してディスクアレイ装置２００Ｃの左右に一対ずつ設けられる。なお、図２５においてはＩ／Ｆユニット２５６Ｃの図示を省略している。
【０１２４】
冷却ファンユニット２６０Ｃは、通風孔２９２と連通してＨＤＤユニット１００に送風して冷却する機能を有する。なお、本明細書では、「冷却」とは放熱を含む概念である。これにより、ＨＤＤユニット１００の搭載密度を高めた場合にＨＤＤユニット１００の発熱量が増大してＨＤＤユニット１００が熱破壊することを防止することができる。冷却ファンユニット２６０Ｃは、図３０（ａ）乃至図３０（ｃ）に示すように、前カバー２６１ｃと、後カバー２６２Ｃと、４つのファン２６３Ｃと、基板２６４Ｃと、４つのネジ２６８Ｃとを有する。ここで、図３０（ａ）は、図２５に示す冷却ファンユニット２６０Ｃを拡大した概略斜視図である。図３０（ｂ）は、図３０（ａ）に示す冷却ファンユニット２６０Ｃの分解斜視図である。図３０（ｃ）は、冷却ファンユニット２６０Ｃの平面図と３方向から見た側面図である。
【０１２５】
前カバー２６１Ｃと後カバー２６２Ｃは略直方体形状の筐体を構成する。より詳細には、前カバー２６１Ｃは、２行２列に配置された４つの円形状の貫通孔２６１Ｃ１と、中央に設けられた貫通孔２６１Ｃ２と、上窪み２６１Ｃ３と、下窪み２６１Ｃ４とを有する。各貫通孔２６１Ｃ１はフロントパネル２０１の通風孔２０２に連通し、図３１の下に示すように、対応する一のファン２６３Ｃを露出させる。貫通孔２６１Ｃ２はフロントパネル２０１の貫通孔２０３に連通し、後述するＬＥＤ２６７Ｃを露出させる。上窪み２６１Ｃ３と下窪み２６１Ｃ４は上下一対のファン２６３Ｃを収納する空間を規定し、ファン２６３Ｃが左右方向（幅方向Ｗ）に移動しないようにするためのものである。また、下窪み２６１Ｃ４は後述するコネクタ２６５を露出させ、コネクタ２６５Ｃがバックパネル組立品２２０Ｃのコネクタ２２８Ｃに接続されることを可能にする。このように、上窪み２６１Ｃ３は閉口しているが、下窪み２６１Ｃ４は開口している。
【０１２６】
後カバー２６２Ｃは２行２列に配置された４つの円形状の貫通孔２６２Ｃ１と、識別棒２６２Ｃ２と、上窪み２６２Ｃ３と、下窪み２６２Ｃ４と、４つのネジ孔２６２Ｃ５とを有する。各貫通孔２６２Ｃ１は、貫通孔２６１Ｃ１と同一形状を有し、対応する一のファン２６３Ｃを露出させ、ファン２６３Ｃからの風がＨＤＤユニット１００に送られることを可能にする。識別棒２６１Ｃ２は上窪み２６２Ｃ３に架けられ、ユーザが冷却ファンユニット２６０Ｃの搭載姿勢を識別することを可能にする。上窪み２６２Ｃ３は上窪み２６１Ｃ３と同一形状を有し、下窪み２６２Ｃ４は下窪み２６１Ｃ４と同一形状を有する。上窪み２６２Ｃ３と下窪み２６２Ｃ４は上窪み２６１Ｃ３と下窪み２６１Ｃ４と協同して、上下一対のファン２６３Ｃを収納する空間を規定し、ファン２６３が左右方向（幅方向Ｗ）に移動しないようにする。また、下窪み２６２Ｃ４は後述するコネクタ２６５を露出させ、コネクタ２６５Ｃがバックパネル組立品２２０Ｃのコネクタ２２８Ｃに接続されることを可能にする。このように、図３０（ｂ）に示すように、上窪み２６２Ｃ３は閉口しているが、下窪み２６２Ｃ４は開口している。ネジ孔２６２Ｃ５には４本のネジ２６８Ｃが挿入され、後述するファン２６３Ｃを後カバー２６２Ｃに固定する。
【０１２７】
４つのファン２６３Ｃは、図２４（ｂ）に示すように、フロントパネル２０１の通風孔２０２から外気を吸い込み、内部のＨＤＤユニット１００に向けて長手方向Ｌに沿って送風を行う。上下一対のファン２６３Ｃは互いに固定されている。
【０１２８】
基板２６４Ｃはファン２６３Ｃの動作を制御する。基板２６４Ｃには、コネクタ２６５Ｃと、複数のケーブル２６６Ｃと、ＬＥＤ２６７Ｃとが設けられている。コネクタ２６５Ｃは、下窪み２６１Ｃ４及び２６２Ｃ４から露出してバックパネル２２５Ｃのコネクタ２２８Ｃに接続される。ケーブル２６６Ｃはファン２６３に電力及び制御信号を送信する。ＬＥＤ２６７Ｃはファン２６３の動作状態を識別する光を発する。ユーザはかかる光をフロントパネル２０１の貫通孔２０３を介して見ることができる。本実施例では、冷却ファンユニット２６０Ｃは二速度ファンとして構成され、通常は低速度でファン２６３Ｃは回転しているが、ＨＤＤユニット１００の温度が一定以上になると高速度で回転する。温度センサは、上述したように、中継基板２２１Ｃに取り付けられているが、温度センサの場所はこれに限定されるものではない。温度情報をコネクタ２２８Ｃ及び２６５Ｃを介して基板２６４Ｃ（に搭載された制御部）が取得してかかる温度情報に基づいてファン２６３Ｃの速度を制御する。
【０１２９】
ＬＥＤユニット２７０Ｃは、ディスクアレイ装置２００の動作状態を識別する光を発する。ＬＥＤユニット２７０Ｃは、図２５に示すように、４つのランプ２７１Ｃと、コネクタ２７２Ｃとを有する。各ランプ２７１Ｃはフロントパネル２０１の各貫通孔２０４に連通しており、これにより、ユーザはランプ２７１Ｃの内容を見ることができる。例えば、いずれかのＨＤＤユニット１００の動作に異常が生じれば第１の赤いランプが点灯する。全てのＨＤＤユニット１００が正常に動作していれば第１の青いランプが点灯する。ディスクアレイ装置２００Ｃ全体の動作に異常が生じれば第２の赤いランプが点灯する。ディスクアレイ装置２００Ｃ全体が正常に動作していれば第２の青いランプが点灯する。コネクタ２７２Ｃは、バックパネル２２５Ｃのコネクタ２２９Ｃに接続される。必要があれば、ＬＥＤユニット２７０Ｃはラックマウント装置３００に搭載された複数のディスクアレイ装置２００Ｃにおける識別番号を表示してもよい。
【０１３０】
図３２は、ディスクアレイ装置２００Ｃの電気的接続を示すブロック図である。電力は、電源ユニット２４０Ｃ及び中継基板２２１Ｃを介してバックパネル２２５ＣからＩ／Ｆユニット（２５１Ｃ及び２５６Ｃ）、ＨＤＤユニット１００、冷却ファンユニット２６０Ｃ及びＬＥＤユニット２７０Ｃに供給される。ＨＤＤユニット１００に格納されるべきデータの送受信は外部ホストとＨＤＤユニット１００との間でＩ／Ｆユニット及びバックパネル２２５Ｃを介して行われる。ＨＤＤユニット１００及びディスクアレイ装置２００の動作制御は、外部ホストによってＩ／Ｆユニット及びバックパネル２２５Ｃを介して行われる。
【０１３１】
ディスクアレイ装置２００Ｃの動作において、図２３（ａ）及び図２４（ａ）に示す状態から図２３（ｂ）及び図２４（ｂ）に示すようにディスクアレイ装置２００Ｃを引き出してＨＤＤユニット１００をバックパネル組立品２２０Ｃに取り付ける。ディスクアレイ装置２００Ｃの両側に取り付けられたスライド機構２０６により、ディスクアレイ装置２００Ｃはラックマウント装置３００からスムーズな引き出しが可能となる。電源ユニット２４０Ｃと中継基板２２１Ｃとバックパネル２２５Ｃを介して電力がＨＤＤユニット１００に供給される。また、データ信号はバックパネル２２５ＣとＩ／Ｆユニットを介してＨＤＤユニット１００と外部ホストとの間で行われる。ラックマウント装置３００は、図２２（ａ）を参照して説明したように従来と同等以上の容量を確保することができる。
【０１３２】
以上、本発明の好ましい実施例を説明したが、本発明はその要旨の範囲内で様々な変形及び変更が可能である。例えば、本実施例では、ユニットをＨＤＤユニット、電子機器をディスクアレイ装置を例に説明したが、ユニットＨＤＤ以外のディスク装置やネットワークユニットを適用することができ、電子機器はラックマウントが可能な収納装置であってもよい。
【０１３３】
本発明は更に以下の事項を開示する。
【０１３４】
（付記１）  ユニット本体と当該ユニット本体を覆うケースとからなるユニットを、電子機器から着脱するための着脱機構であって、前記ケースに対して展開及び折り畳み可能に取り付けられ、前記ユニットを前記電子機器から着脱するための力が加えられるレバーと、前記ケースに折り畳まれた前記レバーと係合して前記レバーを折り畳み位置にロックするロック位置と、前記レバーに対するロックを解除して前記レバーが前記ケースから展開することを許容するロック解除位置との間で、前記ケースの面に沿って移動可能に取り付けられた係止部材とを有することを特徴とする着脱機構。（１）
（付記２）  前記係止部材は、前記ロック位置と前記ロック解除位置との間で変位可能に構成された弾性変形可能なアームであることを特徴とする付記１記載の着脱機構。
【０１３５】
（付記３）  前記ユニット本体と前記ケースの間に少なくとも一部が配置され、前記係止部材を前記ロック位置に付勢する付勢部とを更に有することを特徴とする付記１記載の着脱機構。
【０１３６】
（付記４）  前記レバーは、前記ユニット本体と前記ケースとを固定する固定手段によって前記ケースに共締されると共に前記固定手段の周りに前記ケースに対して展開及び折り畳み可能に構成され、前記係止部材は、前記固定手段によって前記ケースに共締される第１の被固定部と、前記固定手段によって前記ケースに移動不能に共締される第２の被固定部と、前記第１と第２の被固定部を接続し、前記ロック解除位置に変位した前記第１の被固定部を前記ロック位置に復帰させる弾性力を加える弾性変形可能な支部と、前記第２の被固定部が前記ロック位置にあるときに前記レバーと係合し、前記第２の被固定部が前記ロック解除位置にあるときに前記レバーとの係合を解除する係合部と、前記レバーと係合している間に、前記レバーが展開する方向に力を加える弾性変形可能な付勢部とを有することを特徴とする付記１記載の着脱機構。
【０１３７】
（付記５）  ユニット本体と当該ユニット本体を覆うケースとからなるユニットを、電子機器から着脱するための着脱機構であって、前記ユニット本体と前記ケースとを固定する固定手段によって前記ケースに共締されると共に前記固定手段の周りに前記ケースに対して展開及び折り畳み可能に構成され、前記ユニットを前記電子機器から着脱するための力が加えられるレバーを有することを特徴とする着脱機構。（２）
（付記６）  ユニット本体と当該ユニット本体を覆うケースとからなるユニットを、電子機器から着脱するための着脱機構であって、前記ケースに対して展開及び折り畳み可能に取り付けられ、前記ユニットを前記電子機器から着脱するための力が加えられるレバーと、前記ケースに折り畳まれた前記レバーと係合して前記レバーを折り畳み位置にロックするロック位置と、前記レバーに対するロックを解除して前記レバーが前記ユニットの前記ケースから展開することを許容するロック解除位置との間で移動可能に、前記ユニット本体と前記ケースとを固定する固定手段によって前記ケースに共締された係止部材とを有することを特徴とする着脱機構。（３）
（付記７）  前記レバーは断面Ｌ字形状を有することを特徴とする付記１、５及び６のうちいずれか一項記載の着脱機構。（４）
（付記８）  前記係止部材は断面Ｌ字形状を有することを特徴とする付記１、５及び６のうちいずれか一項記載の着脱機構。
【０１３８】
（付記９）  前記ケースは互いに直交する第１及び第２の面を有し、前記係止部材は前記第１の面に平行な第３の面と前記第２の面に平行な第４の面とを有し、前記第１及び第３の面は前記ユニットが前記電子機器に対して着脱する方向と直交し、前記着脱機構は、前記係止部材を前記第３の面を介して前記ロック位置に付勢する付勢部を更に有し、前記ユニット本体と前記ケースとを固定する固定手段によって前記第４の面を前記第２の面に共締することを特徴とする請求項８記載の着脱機構。
【０１３９】
（付記１０）  前記着脱機構は、前記係止部材を前記ロック位置に付勢する第１の付勢部と、前記レバーを展開方向に付勢する第２の付勢部を有し、前記第１の付勢部による付勢力は前記第２の付勢部による付勢力よりも大きいことを特徴とする付記１、５及び６のうちいずれか一項記載の着脱機構。
【０１４０】
（付記１１）  前記ケースは前記ユニットが前記電子機器に対して着脱する方向に垂直な面に設けられた貫通孔を有し、前記着脱機構は、前記貫通孔から突出及び前記貫通孔内に退避可能に前記ケースに固定され、前記レバーが展開する方向に前記レバーに力を加える弾性変形可能な付勢部を更に有することを特徴とする付記１、５及び６のうちいずれか一項記載の着脱機構。
【０１４１】
（付記１２）  前記係止部材がロック位置からロック解除位置に移動する方向は前記ユニットを前記電子機器に対して着脱する方向とほぼ直交することを特徴とする付記１、５及び６のうちいずれか一項記載の着脱機構。
【０１４２】
（付記１３）  前記係止部材は、前記ロック位置から前記ロック解除位置に移動する際に力が加えられる凹凸部を含むことを特徴とする付記１、５及び６のうちいずれか一項記載の着脱機構。
【０１４３】
（付記１４）  前記レバーは、折り畳み位置にあるときに前記電子機器と係合して前記電子機器に対して前記ユニットを固定する爪部を含むことを特徴とする付記１、５及び６のうちいずれか一項記載の着脱機構。
【０１４４】
（付記１５）  前記レバーは、展開位置にあるときに前記電子機器と係合して前記ユニットと前記電子機器との電気的接続を解除する接続解除部を含むことを特徴とする付記１、５及び６のうちいずれか一項記載の着脱機構。
【０１４５】
（付記１６）  前記ケースに設けられ、前記レバーが展開位置にあるときに前記レバーと当接して前記レバーの更なる展開を規制する規制部を更に有することを特徴とする付記１、５及び６のうちいずれか一項記載の着脱機構。
【０１４６】
（付記１７）  付記１乃至１６のうちいずれか一項記載の着脱機構を有することを特徴とするユニット。（５）
（付記１８）  付記１乃至１６のうちいずれか一項記載の着脱機構を各々有する複数のユニットが着脱可能に取り付けられることを特徴とする電子機器。（６）
（付記１９）  複数のユニットが、前記電子機器の高さ方向に沿って着脱されることを特徴とする付記１８記載の電子機器。（７）
（付記２０）  前記ユニットは２．５インチハードディスクドライブユニットであり、前記電子機器の高さは１Ｕを４４．４５ｍｍとした場合に約３Ｕであることを特徴とする付記１９記載の電子機器。
【０１４７】
（付記２１）  前記電子機器は、行列状に配置された複数のユニットが前記電子機器の高さ方向に沿って着脱可能に搭載され、前記高さ方向に垂直に配置されたバックパネルを有するディスクアレイ装置であり、前記バックパネルは各ユニットに供給される電力と格納されるべきデータを中継することを特徴とする付記１８記載の電子機器。
【０１４８】
（付記２２）  前記バックパネルに固定され、前記ユニットの前記バックパネルへの接続をガイドすると共に前記バックパネルに接続された各ユニットを収納する搭載フレームを更に有することを特徴とする付記２１記載の電子機器。
【０１４９】
（付記２３）  電源を供給するための電源ユニットと、前記バックパネルに対して前記高さ方向に搭載されると共に前記電源ユニットと前記高さ方向に垂直な前記ディスクアレイ装置の長手方向に沿って接続する中継基板と、前記バックパネルに接続され、前記データを送受信するためのインターフェースユニットとを更に有することを特徴とする付記２１記載の電子機器。
【０１５０】
（付記２４）  前記バックパネルに接続され、前記データを送受信するためのインターフェースユニットを更に有し、当該インターフェースユニットは第１及び第２のインターフェースユニットを含み、前記第１のインターフェースユニットは前記バックパネルに前記バックパネルに対して前記高さ方向に搭載され、前記第２のインターフェースユニットは前記第１のインターフェースユニットに対して前記ディスクアレイ装置の前記長手方向に沿って接続することを特徴とする付記２１記載の電子機器。
【０１５１】
（付記２５）  前記バックパネルに対して前記高さ方向に搭載され、前記バックパネルを介して電力が供給され、前記複数のユニットを送風によって冷却する冷却ファンユニットを更に有することを特徴とする付記２１記載の電子機器。
【０１５２】
（付記２６）  前記バックパネルに対して前記高さ方向に搭載され、前記バックパネルを介して電力が供給され、前記ユニット及び／又は前記ディスクアレイ装置の状態を表示する表示装置を更に有することを特徴とする付記２１記載の電子機器。
【０１５３】
（付記２７）  行列状に配置された複数のユニットが前記電子機器の高さ方向に沿って着脱可能に搭載され、前記高さ方向に垂直に配置されたバックパネルを有するディスクアレイ装置を複数段前記電子機器の高さ方向に搭載可能なラックマウント装置であることを特徴とする付記１８記載の電子機器。（１０）
（付記２８）  前記ディスクアレイ装置は、前記ラックマウント装置から引き出し可能に前記ラックマウント装置に搭載されていることを特徴とする請求項２７記載の電子機器。
【図面の簡単な説明】
【０１５４】
【図１】本発明の一実施例としてのＨＤＤユニットの外観斜視図である。
【図２】図１に示すＨＤＤユニットの分解斜視図である。
【図３】図３（ａ）は図２に示すＨＤＤユニットの正面図であり、図３（ｂ）はその側面図である。
【図４】図４（ａ）は図２に示すＨＤＤユニットの２．５インチＨＤＤの正面図であり、図４（ｂ）はその側面図である。
【図５】図３に示すＨＤＤユニットのＡ部における拡大断面図である。
【図６】図３に示すＨＤＤユニットのＢ部における拡大側面図である。
【図７】ディスクアレイ装置に装着されている図１に示すＨＤＤユニットを取り外す動作を説明するための断面図である。
【図８】ディスクアレイ装置に装着されている図１に示すＨＤＤユニットを取り外す動作を説明するための断面図である。
【図９】ディスクアレイ装置に装着されている図１に示すＨＤＤユニットを取り外す動作を説明するための断面図である。
【図１０】図１０（ａ）はＨＤＤユニットがディスクアレイ装置の長手方向に着脱される方式を示す外観透過斜視図であり、図１０（ｂ）はその分解図である。
【図１１】図１１（ａ）はＨＤＤユニットがディスクアレイ装置の高さ方向に着脱される方式を示す外観透過斜視図であり、図１１（ｂ）はその分解図である。
【図１２】従来のディスクアレイ装置とＨＤＤユニットの概観斜視図である。
【図１３】図１２に示す従来のＨＤＤユニットの分解斜視図である。
【図１４】図１４（ａ）は図１２に示す従来のＨＤＤユニットの正面図であり、図１４（ｂ）はその側面図である。
【図１５】図１５（ａ）は図１３に示す従来のＨＤＤユニットの３．５インチＨＤＤの正面図であり、図１５（ｂ）はその側面図である。
【図１６】本発明の別の実施例としてのＨＤＤユニットの外観斜視図である。
【図１７】図１６に示すＨＤＤユニットの分解斜視図である。
【図１８】図１６に示すＨＤＤユニットのケースに板バネを取り付ける様子を示す外観斜視図である。
【図１９】ディスクアレイ装置に装着されている図１６に示すＨＤＤユニットを取り外す動作を説明するための断面図である。
【図２０】ディスクアレイ装置に装着されている図１６に示すＨＤＤユニットを取り外す動作を説明するための断面図である。
【図２１】ディスクアレイ装置に装着されている図１６に示すＨＤＤユニットを取り外す動作を説明するための断面図である。
【図２２】図２２（ａ）は、図１１（ａ）及び図１１（ｂ）に示すディスクアレイ装置の変形例としてのディスクアレイ装置を複数段搭載したラックマウント装置の概略正面図であり、図２２（ｂ）は、従来のラックマウント装置の概略正面図である。
【図２３】図２３（ａ）は、図２２（ａ）に示すラックマウント装置の部分拡大斜視図であり、図２３（ｂ）は、図２３（ａ）に示すラックマウント装置から一のディスクアレイ装置を引き出した状態を示す概略斜視図である。
【図２４】図２４（ａ）は、図２３（ａ）のラックマウント装置のうち一のディスクアレイ装置周辺の部分透過拡大斜視図であり、図２４（ｂ）は、図２４（ａ）の状態からディスクアレイ装置を引き出した状態を示す概略斜視図である。
【図２５】図２４（ｂ）に示すディスクアレイ装置の前側の概略部分展開斜視図である。
【図２６】図２５に示すバックパネル組立品の概略分解斜視図である。
【図２７】図２４（ｂ）に示すディスクアレイ装置の後側の概略部分展開斜視図である。
【図２８】図２５に示す前側のインターフェースユニットの概略斜視図である。
【図２９】図２７に示す後側のインターフェースユニットの概略斜視図である。
【図３０】図３０（ａ）は、図２５に示す冷却ファンユニットの概略斜視図であり、図３０（ｂ）は、図３０（ａ）に示す冷却ファンユニットの概略分解斜視図であり、図３０（ｃ）は、３０（ａ）に示す冷却ファンユニットの平面図及び側面図である。
【図３１】図２５に示すディスクアレイ装置の上面図、正面図、背面図及び右側面図である。
【図３２】図２５に示すディスクアレイ装置の電気的接続を示す概略ブロック図である。
【符号の説明】
【０１５５】
１００、１００Ａ    ＨＤＤユニット
１１０              ２．５インチＨＤＤ（ユニット本体）
１２０、１２０Ａ    ケース又はカバー
１３０              ネジ（固定手段）
１４０、１４０Ａ    着脱機構
１５０、１５０Ａ    レバー
１６０、１６０Ａ    係止部材
２００−２００Ｃ    ディスクアレイ装置
３００              ラックマウント装置
【図１】
2006294201.tif 000003
【図２】
2006294201.tif 000004
【図３】
2006294201.tif 000005
【図４】
2006294201.tif 000006
【図５】
2006294201.tif 000007
【図６】
2006294201.tif 000008
【図７】
2006294201.tif 000009
【図８】
2006294201.tif 000010
【図９】
2006294201.tif 000011
【図１０】
2006294201.tif 000012
【図１１】
2006294201.tif 000013
【図１２】
2006294201.tif 000014
【図１３】
2006294201.tif 000015
【図１４】
2006294201.tif 000016
【図１５】
2006294201.tif 000017
【図１６】
2006294201.tif 000018
【図１７】
2006294201.tif 000019
【図１８】
2006294201.tif 000020
【図１９】
2006294201.tif 000021
【図２０】
2006294201.tif 000022
【図２１】
2006294201.tif 000023
【図２２】
2006294201.tif 000024
【図２３】
2006294201.tif 000025
【図２４】
2006294201.tif 000026
【図２５】
2006294201.tif 000027
【図２６】
2006294201.tif 000028
【図２７】
2006294201.tif 000029
【図２８】
2006294201.tif 000030
【図２９】
2006294201.tif 000031
【図３０】
2006294201.tif 000032
【図３１】
2006294201.tif 000033
【図３２】
2006294201.tif 000034